(57)【要約】【課題】飲料の準備のための改良された開かれたカプセルを提供すること、および従来の問題を少なくとも部分的に解消すること。【解決手段】抽出可能な製品、例えば焙煎され且つ挽かれたコーヒーを使用して、摂取に適する所定量の飲料を準備するためのカプセル（２）は、実質的に剛性の周囲壁（１４）、該周囲壁を第１端部（１８）で閉じる底（１６）、および該周囲壁を該底の反対側の第２の、開いた端部（２２）で閉じる蓋（２０）を備える。ここで、該周囲壁、該底および該蓋は、抽出可能な製品を備える内部空間（２３）を囲み、該蓋（２０）は、準備された飲料の排出のための出口領域を画定する複数の出口開口（２５）を有する可撓性の箔（２４）を備え、該抽出可能な製品と該蓋（２０）の間の該カプセル（２）の内部では、実質的にシート形状のフィルタ層が、該箔（２４）内の該出口開口（２５）のいずれをも被覆しない。【選択図】図１
2016509869.tif 000002
【特許請求の範囲】
【請求項１】
抽出可能な製品、例えば焙煎され挽かれたコーヒーを用いて摂取に適する所定量の飲料を準備するためのカプセル（２）であって、
実質的に剛性の周囲壁（１４）、
該周囲壁を第１端部（１８）で閉じる底（１６）、および
該周囲壁を該底の反対側の第２の、開いた端部（２２）で閉じる蓋（２０、２０’、２０”、２０”’）、
を備え、ここで、該周囲壁、該底、および該蓋は、該抽出可能な製品を備える内部空間（２３）を囲み、該蓋（２０、２０’、２０”、２０”’）は、可撓性の箔（２４）を備え、前記箔は、準備された飲料を排出するための出口領域を規定する複数の出口開口（２５）を有しており、該抽出可能な製品と該蓋（２０、２０’、２０”、２０”’）の間の該カプセル（２）の内側に、該箔内の該出口開口のいずれをも被覆しないところの実質的にシート状のフィルタ層（２６）が備えられる、
上記カプセル。
【請求項２】
該実質的にシート状のフィルタ層（２６）は、紙フィルタ物質の層、不織物質の層、または織られた物質の層を備える、請求項１に記載のカプセル。
【請求項３】
該フィルタ層（２６）は、該蓋（２０、２０’、２０”、２０”’）に沿って実質的に平行に、好ましくは該カプセル（２）の該第２の、開いた端部（２２）の最大横断面の少なくとも全面にわたって、延在する、請求項１又は２に記載のカプセル。
【請求項４】
該フィルタ層は、該箔（２４）内に設けられた全ての開口（２５）を被覆する、請求項１〜３のいずれか１項に記載のカプセル。
【請求項５】
前記フィルタ層の中央領域において、１の開口が備えられる、請求項１〜３のいずれか１項に記載のカプセル。
【請求項６】
該フィルタ層（２６）は、該蓋（２０、２０’、２０”、２０”’）と当接する、請求項１〜５のいずれか１項に記載のカプセル。
【請求項７】
該フィルタ層（２６）の周囲縁のみが、該蓋（２０、２０’、２０”、２０”’）へ接続され、好ましくは前記蓋（２０、２０’、２０”、２０”’）の周囲縁に隣接して接続される、請求項１〜６のいずれか１項に記載のカプセル。
【請求項８】
該フィルタ層（２６）は、該フィルタ層（２６）の全体表面に沿って、該蓋（２０、２０’、２０”、２０”’）へ接続される、請求項１〜６のいずれか１項に記載のカプセル。
【請求項９】
カプセル（２）は、外方向に延在するリム（１５）を該第２端部（２２）で備え、該蓋（２０、２０’、２０”、２０”’）は、該外方向に延在するリム（１５）へ取り付けられる、請求項１〜８のいずれか１項に記載のカプセル。
【請求項１０】
該フィルタ層（２６）の周囲縁は、該蓋（２０、２０’、２０”、２０”’）と該外方向に延在するリム（１５）の間に囲まれる、請求項９に記載のカプセル。
【請求項１１】
該紙フィルタ物質の層は、約１〜２５０ｇ／ｍ２の重さ、より好ましくは１０〜１００ｇ／ｍ２の、好ましくは約１５〜５０ｇ／ｍ２の重さを有する紙の層である、請求項２〜１０のいずれか１項に記載のカプセル。
【請求項１２】
不織物質の該層（２６）は、繊維の構造的網、または網を備える合成物質、例えば高密度ポリエチレン（ＨＤＰＥ）繊維を備える、請求項２〜１０のいずれか１項に記載のカプセル。
【請求項１３】
該フィルタ層（２６）は、約２００パスカルの圧力で測られて、最大で５５０ｍｍ／秒の、または最大で、５５０ｍｍ／秒を除く５５０〜２０００ｍｍ／秒の範囲内の空気透過性を有する、請求項１〜１２のいずれか１項に記載のカプセル。
【請求項１４】
該フィルタ層（２６）は、該フィルタ層（２６）を該箔（２４）に対して封止するための封止特性を高めるために、プラスチック、例えばポリエチレン（ＰＥ）を備え、または被覆される、請求項１１〜１３のいずれか１項に記載のカプセル。
【請求項１５】
該カプセル本体は、約１００〜１０００μｍの平均粒子径、好ましくは２００〜７５０μｍの平均粒子径、より好ましくは２５０〜５００μｍの平均粒子径を有する、約４〜１１グラム、好ましくは５〜８グラム、より好ましくは５．３〜６グラムの焙煎され挽かれたコーヒーを充填される、請求項１〜１４のいずれか１項に記載のカプセル。
【請求項１６】
該蓋の該箔は、閉じられたカプセルの蓋を刺し貫くことを意図された蓋刺通手段を備えるところの装置内で用いられるとき、無傷のままであるよう構成される、請求項１〜１５のいずれか１項に記載のカプセル。
【請求項１７】
該箔（２４）は、第１物質層（２７）および第２物質層（２８）を備える多層箔であり、該第２層の引裂き強度は、該第１層の引裂き強度よりも高く、そして該第１層は該第２層よりも高い剛性を有する、請求項１〜１６のいずれか１項に記載のカプセル。
【請求項１８】
該第１物質層（２７）は、ポリエチレンテレフタレート（ＰＥＴ-Ｐ）の層であり、かつ該第２物質層（２８）は、共重合ポリプロピレン（ＣＰＰ）の層である、請求項１７に記載のカプセル。
【請求項１９】
ＰＥＴ-Ｐの該層（２７）は、約１５μｍの厚さを有し、かつＣＰＰの該層（２８）は、約３０μｍの厚さを有する、請求項１８に記載のカプセル。
【請求項２０】
該箔（２４）の該出口領域は、５０〜２５０の開口（２５）、好ましくは７０〜１９０の、より好ましくは１００〜１６０の開口を備え、平均開口直径は０．１ｍｍ〜０．５ｍｍである、請求項１〜１９のいずれか１項に記載のカプセル。
【請求項２１】
該出口開口（２５）の総表面によって形成された該箔（２４）の開表面は０．４〜４９．１ｍｍ２である、請求項１〜２０のいずれか１項に記載のカプセル。
【請求項２２】
該底（１６）は、入口フィルタ（１９、１９’、１９”）を備え、例えば実質的に剛性の底（１６）が、該流体をそれらを通して該抽出可能な製品へ供給するために、複数の入口開口（１７）を有し、または例えば多孔性シート、例えば、紙又は類似の不織物質のシート、又は孔をあけたシート、例えば複数の入口開口を備えるポリマー薄膜を備えている、請求項１〜２１のいずれか１項に記載のカプセル。
【請求項２３】
該カプセルの該内部空間は、１０〜２０ｍｌ、好ましくは１１〜１８ｍｌ、より好ましくは約１２ｍｌを除く１０〜１３ｍｌ、またはより好ましくは約１２ｍｌである該カプセルの容積を有している、請求項１〜２２のいずれか１項に記載のカプセル。
【請求項２４】
該出口開口は、該抽出可能な製品に直接向き合っている、請求項１〜２３のいずれか１項に記載のカプセル。
【請求項２５】
該フィルタ層によって被覆されていないところの該箔の該表面は、該カプセルの該内部空間の境界を形成するところの該箔の総表面積のｐ％であり、ここで、ｐは２９〜９９．５の範囲内、好ましくは４４〜９９．５の範囲内、より好ましくは５４〜９９．５の範囲内にある、請求項１〜２４のいずれか１項に記載のカプセル。
【請求項２６】
該フィルタ層によって被覆されておらず且つ該出口開口を備えられるところの該箔の該表面積は、ｆ＊ｐ％であり、ｆは０．５〜１の範囲内である、請求項２５に記載のカプセル。
【請求項２７】
該フィルタ層は、該周囲壁へ延在している、より特別にはここで、該フィルタ層の該全外側境界は、該周囲壁へ延在している、請求項１〜２６のいずれか１項に記載のカプセル。
【請求項２８】
該フィルタ層によって被覆されているところの該箔の該表面領域の第１部分は、該周囲壁に少なくとも実質的に完全に隣接して置かれている、請求項１〜２７のいずれか１項に記載のカプセル。
【請求項２９】
該箔の該第１部分の外側境界のｃ％は、該周囲壁へ隣接して置かれている、ここで、ｃは５０を超え、好ましくは８５を超え、より好ましくは９５を超え、そしてｃは最も好ましくは１００である、請求項２８に記載のカプセル。
【請求項３０】
該フィルタ層は、該箔に隣接している該周囲壁の各々の位置へ延在している、請求項１〜２７および２９のいずれか１項に記載のカプセル。
【請求項３１】
該フィルタ層は、該周囲壁までは延在していない、請求項１〜２６のいずれか１項に記載のカプセル。
【請求項３２】
該フィルタ層は、１つの開口を備えている、請求項１〜３１のいずれか１項に記載のカプセル。
【請求項３３】
該開口は、最大の表面積を有する出口開口の表面積を超えるところの表面積を備えている、請求項３２に記載のカプセル。
【請求項３４】
該フィルタ層は、複数の開口を備えている、請求項１〜３１のいずれか１項に記載のカプセル。
【請求項３５】
各開口は、最大表面積を有する出口開口の表面積を超えるところの表面積を有している、請求項３４に記載のカプセル。
【請求項３６】
該複数の出口開口が分布されている該箔の該表面領域の第２部分は、該周囲壁から少なくとも実質的に完全に或る距離を置かれている、請求項１〜３５のいずれか１項に記載のカプセル。
【請求項３７】
該フィルタ層によって被覆されていないところの該箔の該表面領域の第３部分は、該周囲壁から少なくとも実質的に完全に或る距離を置かれている、請求項１〜３６のいずれか１項に記載のカプセル。
【請求項３８】
該箔の該表面領域の該第３部分の外側周囲境界のａ’％は、該周囲壁から或る距離を置かれている、ここで、ａは５０を超え、好ましくは８５を超え、より好ましくは９５を超え、そしてａは最も好ましくは１００であり、そして或る距離は、該箔に隣接する該内部空間の直径の５〜３０％として規定されている、請求項３７に記載のカプセル。
【請求項３９】
該フィルタ層は、リング形状を有している、請求項３８に記載のカプセル。
【請求項４０】
該リングの中央開口は、該箔での該内部空間の最大直径の２５％〜７５％の範囲内にある最大直径を有している、請求項２７及び３９または３０及び３９に記載のカプセル。
【請求項４１】
該周囲壁に隣接し且つ該リングによって被覆されていないところの該箔の該面積は、該内部空間の境界を形成するところの該箔の総面積のｘ％である、ここで、ｘは１０〜５０の範囲内に、好ましくは１５〜４０の範囲内にある、請求項３１及び３９に記載のカプセル。
【請求項４２】
該リングの中央開口は、該箔での該内部空間の最大直径の１５％〜６０％の範囲内に入っている最大直径を有している、請求項４１に記載のカプセル。
【請求項４３】
該フィルタ層の外側周囲境界は、該周囲壁に隣接して置かれ、そして好ましくは該中央領域は、Ｓｍｍの断面を有する、ここでＳは１２〜２６の範囲内に、好ましくは１４〜２５の範囲内に、そしてより好ましくは１６〜２４の範囲内にある、そしてここで、好ましくは該内部空間の境界を形成するところの該フィルタ層の該部分の該外径は、約２８〜３０ｍｍの断面を有する、及び／又は、好ましくは該箔に近い該内部空間の該直径は、約２８〜３０ｍｍである、請求項３９に記載のカプセル。
【請求項４４】
該フィルタ層は、ストリップの形状を有している、請求項１〜３８のいずれか１項に記載のカプセル。
【請求項４５】
該ストリップの形状を有する該フィルタ層は、該周囲壁に隣接して存在する２つの対向する端部を備え、かつ２つの対向する側部の各々は該周囲壁から或る距離に置かれている、請求項４４に記載のカプセル。
【請求項４６】
該フィルタ層は、ディスク形状を有している、請求項１〜３８のいずれか１項に記載のカプセル。
【請求項４７】
該フィルタ層は、図１２Ａ／Ｂに示されたようにＤＥブランドの形状を有している、請求項１〜３８のいずれか１項に記載のカプセル。
【請求項４８】
該フィルタの中心は、該内部空間の境界を形成しているところの該箔のその部分の中心に少なくとも実質的に対応している、請求項４７に記載のカプセル。
【請求項４９】
フィルタ層は、該カプセルの内部空間の容積のｃ％を占めている、ここで、ｃは０．１〜８の範囲内、好ましくは０．１〜６．５の範囲内、より好ましくは０．１〜３の範囲内にある、請求項１〜４８のいずれか１項に記載のカプセル。
【請求項５０】
該フィルタ層の流れ抵抗は、該抽出可能な製品の流れ抵抗よりも大きい、請求項１〜４９のいずれか１項に記載のカプセル。
【請求項５１】
該フィルタ層の流れ抵抗は、９〜１８バールの圧力下で流体を用いて抽出されるとき、該抽出可能な製品の流れ抵抗よりも小さい、請求項１〜５０のいずれか１項に記載のカプセル。
【請求項５２】
該フィルタ層の流れ抵抗は、Ｔによって特徴付けられる、ここで、ヘルツベルク（Herzberg）デザインのろ紙試験装置を用いるとき、Ｔは、１００ｍｌの水が３３ｃｍの出発水柱で始めて、フィルタ層のサンプルの１０ｃｍ２の面積を通して、該サンプルが置かれるところの平面に垂直な方向に流れる、秒での時間である、ここで、水温は２０℃であり、Ｔは４〜１５０の範囲内、好ましくは４〜３０、より好ましくは５〜２０、例えばろ紙について４〜１５の範囲内、例えば白不織布について６０〜１５０、および例えば青不織布について４５〜８０の範囲にある、請求項１〜５１のいずれか１項に記載のカプセル。
【請求項５３】
該抽出可能な製品の密度は、Ｄｇ／ｃｍ３である、ここで、Ｄは、０．２７８〜０．５の範囲内、好ましくは０．３１３〜０．４５５の範囲内、より好ましくは０．３７９〜０．４１６の範囲内にある、請求項１〜５２のいずれか１項に記載のカプセル。
【請求項５４】
該抽出可能な製品は、挽かれたコーヒーであり、そして該抽出可能な製品の平均粒子サイズは、Ｅミクロンメートルである、ここで、Ｅは、１００〜１０００の範囲内、好ましくは２００〜７５０の範囲内、より好ましくは２５０〜５００の範囲内にある、請求項１〜５３のいずれか１項に記載のカプセル。
【請求項５５】
該抽出可能な製品の該粒子は、体積でＬ％の微粒子を備えている、ここでＬは、７〜６０の範囲内、好ましくは８〜３０の範囲内、より好ましくは１０〜２０の範囲内にある、請求項１〜５４のいずれか１項に記載のカプセル。
【請求項５６】
該箔（２４）の該出口領域は、５０〜２５０の開口（２５）、好ましくは７０〜１９０の、より好ましくは１００〜１６０の開口を備えている、請求項１〜５５のいずれか１項に記載のカプセル。
【請求項５７】
該出口開口の平均開面積は、出口開口当たりｚｍｍ２である、ここで、ｚは、０．００８〜０．２の範囲内、好ましくは０．０３〜０．１３の範囲内、より好ましくは０．０５〜０．１の範囲内にある、請求項１〜５６のいずれか１項に記載のカプセル。
【請求項５８】
該出口開口の平均直径は、出口開口当たりｄμｍである、ここで、ｄは、１００〜５００の範囲内、好ましくは２００〜４００の範囲内、より好ましくは２５０〜３５０の範囲内にある、請求項１〜５７のいずれか１項に記載のカプセル。
【請求項５９】
該フィルタ層は、Ｔｍｍの厚さを有している、ここで、Ｔは、０．０１を除く０．０５〜０．０１、または０．０１〜１または１を除く１〜１０、好ましくは０．０５〜０．５、より好ましくは０．０５〜０．２の範囲内にある、請求項１〜５８のいずれか１項に記載のカプセル。
【請求項６０】
該フィルタ層は、副フィルタ層のスタックから成り、各副フィルタ層はシート状である、請求項５９に記載のカプセル。
【請求項６１】
該スタックは２〜６の副フィルタ層を備えている、請求項６０に記載のカプセル。
【請求項６２】
該抽出可能な製品は、Ｈグラムの挽かれたコーヒーを含み又はＨグラムの挽かれたコーヒーから成る、ここで、Ｈは、４〜１１の範囲内、好ましくは５〜８の範囲内、より好ましくは５．３〜６の範囲内にある、請求項１〜６１のいずれか１項に記載のカプセル。
【請求項６３】
該底は、該カプセルの入口開口を形成する複数のスリットを備えている、請求項１〜６２の何れか１項に記載のカプセル。
【請求項６４】
抽出可能な製品を用いて摂取に適した所定量の飲料を準備するためのシステムであって、
請求項１〜６３のいずれか１項に記載の交換可能なカプセル（２）、
該交換可能なカプセルを保持するための収容器（６）、およびある量の流体、例えば水を、加圧下で交換可能なカプセルへ供給するための流体分配デバイス（５）を備える装置（４）
を備え、
該流体分配デバイス（５）は、該飲料を形成するために該流体を該抽出可能な製品へ該底（１６）を通して供給するように配置され、
該収容器（６）は、支持表面（１０）を備え、そして、該カプセル（２）は、該カプセル（２）から該蓋（２０、２０’、２０”、２０”’）および該支持表面（１０）を通して準備された飲料を排出するために該支持表面（１０）に少なくとも部分的に当接するように配置され、
該蓋（２０、２０’、２０”、２０”’）は、準備された飲料の排出のための出口領域を画定する複数の出口開口（２５）を有する可撓性の箔（２４）を備え、該抽出可能な製品と該蓋（２０、２０’、２０”、２０”’）の間の該カプセル（２）内部に、該箔内の該出口開口の何れをも被覆しない実質的にシート状のフィルタ層（２６）が、備えられ、
該システムは、使用中、準備された飲料をカプセル（２）から排出させるため、及び該飲料を容器、例えばカップへ供給するために、該蓋（２０、２０’、２０”、２０”’）と流体連絡している出口（３２）を備える、
上記システム。
【請求項６５】
該流体は、４〜２０バール、好ましくは９〜１８バールの圧力下で供給される、請求項６４に記載のシステム。
【請求項６６】
該抽出可能な製品は、挽かれたコーヒーを含み又は挽かれたコーヒーから成り、焙煎され挽かれたコーヒーの注入体積は、Ｕ cc／２５０ｇである、ここで、Ｕは、５００〜９００の範囲内、好ましくは５７５〜７００の範囲内、より好ましくは６００〜６６０の範囲内にある、請求項６４または６５に記載のシステム。
【請求項６７】
Ｖｍｌの該流体が該カプセルへ供給される、ここで、Ｖは、２０〜２００の範囲内、好ましくは２５〜１４０の範囲内、より好ましくは２５〜１１０の範囲内にある、請求項６４〜６６のいずれか１項に記載のシステム。
【請求項６８】
６ｃｍの内径を持つ円筒状内部空間を有するカップに準備された該飲料は、高さＲｍｍのクレマ層を備えている、ここで、Ｒは、２〜１６の範囲内、好ましくは４〜１２の範囲内、より好ましくは５〜８．５の範囲内にある、請求項６４〜６７のいずれか１項に記載のシステム。
【請求項６９】
準備された該飲料、例えばエスプレッソは、百分率（％）で表されたＫグラム／１００グラムのＤＭＡを備えている、ここで、Ｋは、２〜７の範囲内、好ましくは２．５〜５の範囲内、より好ましくは２．８〜４．５の範囲内にある、または、
準備された該飲料、例えばルンゴ（lungo）は、百分率（％）で表されたＫグラム／１００グラムのＤＭＡを備えている、ここで、Ｋは、０．５〜３の範囲内、好ましくは０．８〜２の範囲内、より好ましくは１〜１．６の範囲内にある、請求項６４〜６８のいずれか１項に記載のシステム。
【請求項７０】
該飲料、例えばルンゴ（lungo）は、Ｊ秒で準備される、ここで、Ｊは、３０〜７０の範囲内、好ましくは３８〜５５の範囲内、より好ましくは４２〜４８の範囲内にある、且つ、準備された該飲料の量は、Ｌｍｌである、ここで、Ｌは、１００〜１２０の範囲内、好ましくは１０５〜１１５の範囲内、より好ましくは１０８〜１１２の範囲内にある、請求項６４〜６９のいずれか１項に記載のシステム。
【請求項７１】
該飲料、例えばエスプレッソは、Ｊ秒で準備される、ここで、Ｊは、１０〜４５の範囲内、好ましくは１５〜３５の範囲内、より好ましくは１８〜３２の範囲内にある、且つ、準備された該飲料の量は、Ｌｍｌである、ここで、Ｌは、３５〜４５の範囲内、好ましくは３８〜４２の範囲内、より好ましくは３９〜４０の範囲内にある、請求項６４〜６９のいずれか１項に記載のシステム。
【請求項７２】
５〜１９バールの圧力下の流体で抽出されるとき、該フィルタ層の流れ抵抗は、該抽出可能な製品の流れ抵抗よりも小さい、請求項６４〜７１のいずれか１項に記載のシステム。
【請求項７３】
抽出可能な製品を用いて摂取に適する所定量の飲料を準備するための方法であって、請求項６４〜７２のいずれか１項に記載のシステム（１）及び／又は、請求項１〜６３のいずれか１項に記載の交換可能なカプセル（２）を用いる、
上記方法。
【請求項７４】
該流体は、４〜２０バール、好ましくは９〜１８バールの圧力下で供給される、請求項７３に記載の方法。
【請求項７５】
該抽出可能な製品は、挽かれたコーヒーを含み、または挽かれたコーヒーから成り、焙煎され挽かれたコーヒーの注入体積は、Ｕ cc／２５０ｇである、ここで、Ｕは、５００〜９００の範囲内、好ましくは５７５〜７００の範囲内、より好ましくは６００〜６６０の範囲内にある、請求項７３または７４に記載の方法。
【請求項７６】
Ｖｍｌの該流体が該カプセルへ供給される、ここで、Ｖは、２０〜２００の範囲内、好ましくは２５〜１４０の範囲内、より好ましくは２５〜１１０の範囲内にある、請求項７３〜７５のいずれか１項に記載の方法。
【請求項７７】
６ｃｍの内径を持つ円筒状内部空間を有するカップに準備された該飲料は、高さＲｍｍのクレマ層を備えている、ここで、Ｒは、２〜１６の範囲内、好ましくは４〜１２の範囲内、より好ましくは５〜８．５の範囲内にある、請求項７３〜７６のいずれか１項に記載の方法。
【請求項７８】
準備された該飲料、例えばエスプレッソは、百分率（％）で表されたＫグラム／１００グラムのＤＭＡを備えている、ここで、Ｋは、２〜７の範囲内、好ましくは２．５〜５の範囲内、より好ましくは２．８〜４．５の範囲内にある、または、
準備された該飲料、例えばルンゴ（lungo）は、百分率（％）で表されたＫグラム／１００グラムのＤＭＡを備えている、ここで、Ｋは、０．５〜３の範囲内、好ましくは０．８〜２の範囲内、より好ましくは１〜１．６の範囲内にある、請求項７３〜７７のいずれか１項に記載の方法。
【請求項７９】
該飲料、例えばルンゴ（lungo）は、Ｊ秒で準備される、ここで、Ｊは、３０〜７０の範囲内、好ましくは３８〜５５の範囲内、より好ましくは４２〜４８の範囲内にある、且つ、準備された該飲料の量は、Ｌｍｌである、ここで、Ｌは、１００〜１２０の範囲内、好ましくは１０５〜１１５の範囲内、より好ましくは１０８〜１１２の範囲内にある、請求項７３〜７８のいずれか１項に記載の方法。
【請求項８０】
該飲料、例えばエスプレッソは、Ｊ秒で準備される、ここで、Ｊは、１０〜４５の範囲内、好ましくは１５〜３５の範囲内、より好ましくは１８〜３２の範囲内にある、且つ、準備された該飲料の量は、Ｌｍｌである、ここで、Ｌは、３５〜４５の範囲内、好ましくは３８〜４２の範囲内、より好ましくは３９〜４０の範囲内にある、請求項７３〜７８のいずれか１項に記載の方法。
【請求項８１】
該フィルタ層の流れ抵抗Ｇは、９〜１８バールの圧力下の流体で抽出されるとき、該抽出可能な製品の流れ抵抗よりも小さい、請求項７３〜８０のいずれか１項に記載の方法。
【発明の詳細な説明】
【技術分野】
【０００１】
本発明は、抽出可能な製品、例えば焙煎され且つ挽かれたコーヒーを使用して、摂取に適する所定量の飲料を準備するためのカプセル、システム及び方法に関する。該カプセルは、実質的に剛性の周囲壁、該周囲壁を第１端部で閉じる底、および該周囲壁を該底の反対側の第２の、開いた端部で閉じる蓋を備える。ここで、該周囲壁、該底および該蓋は、抽出可能な製品を備える内部空間を囲み、該蓋は、準備された飲料の排出のための出口領域を画定する複数の出口開口を有する可撓性の箔を備える。
【背景技術】
【０００２】
そのようなカプセルは、例えば国際公開第2010/137953号から公知であり、飲料を準備するための装置内で用いられうる。そのようなカプセルは、使用における便宜と再現可能な抽出条件とを与え、一定の品質を有する一杯のコーヒーの容易な準備をもたらす。公知のカプセルは、準備された飲料の排出のための出口領域を規定する複数の出口開口を有する可撓性の箔を備えるので、このカプセルは開かれたカプセルとして公知である。そのようなカプセルは、飲料製造装置において用いられえて、その中で、カプセル内の抽出可能製品と相互作用するために、加圧下の液体が底を介してカプセルに入る。該液体と該抽出可能製品とが相互作用すると、飲料が得られる。飲料の準備の間、該箔は、準備された飲料が該蓋に備えられた出口開口を介してカプセルを出、そして焙煎され挽かれたコーヒーがカプセル内部に残るように、無傷のままであろう。しかし、出願人は、出口開口を規定する蓋の物質のせいで、コーヒーを準備するためのカプセルのコーヒーパラメータに関する限定された可能性のみが有効であることを見出した。したがって、様々なコーヒー風味で変えることは、同様に制限されうる。飲料を準備するときに、カプセル内部のコーヒー粒子は、カプセル内への流体の供給の間、該箔の方へ移動しえて、それら粒子は流れの制限を作る一因になりうる。しかし、また微粒子は、移動し、箔の出口開口の少なくとも部分の前に堆積するか又はその部分を覆うことになりうる。これは、流れの制限が余りに高く成り得るので、不利でありえる。上記公知のカプセルを用いるとき、飲料の調製時間は、比較的に長いものでありえ、それは飲料製造装置のユーザーにとって不便でありうる。その上、公知のカプセルを用いるとき、小さな粒子、すなわち、焙煎され挽かれたコーヒーのいわゆる微少粒子は、準備された飲料内に入りえ、そのことは劣る品質を有するコーヒーへと導きうる。
【発明の概要】
【発明が解決しようとする課題】
【０００３】
したがって、飲料の準備のための改良された開かれたカプセルを提供すること、およびより具体的には、上述の問題の少なくとも部分を解消することが本発明の目的である。
【課題を解決するための手段】
【０００４】
それに加えて、本発明の第一の局面に従うと、上に記されたタイプのカプセルが与えられ、そこでは抽出可能製品と蓋との間のカプセルの内側に、箔内の出口開口のいずれをも覆わない、実質的にシート形状のフィルタ層が備えられる。このことは、各開口はフィルタ層によって全く被覆されないことを意味する。
【０００５】
抽出可能製品、即ち焙煎され挽かれたコーヒーと、蓋の出口開口を有する箔との間にフィルタ層を備えることによって、焙煎され挽かれたコーヒーの最小粒子、即ち微粒子は、フィルタ層の物質によって捉えられる。微粒子は、上記粒子が箔内の出口開口に到達する前に、フィルタ層内に拡散しうる。少なくとも全てではない微粒子が出口開口に達するであろうから、これにより水の流れを制限し過ぎないで、所望の流れ制限が得られる。改良されたコーヒーカプセルを用いるとき、飲料を準備する方法は、より良く制御されえ、ひいてはより良く再現可能である。そのような改良されたカプセルで、コーヒーの抽出条件は改善されうる。出口開口を有する箔と追加のフィルタの間の協働は、コーヒーパラメータ、例えばコーヒー量およびコーヒー粒子の寸法によって変化する可能性を許容し、そのことは、例えば様々なコーヒー風味を有するコーヒーを準備するのに有利である。出願人は、本発明に従うカプセルが、壊れやすく、ひいては微粒子を大量に含有しているコーヒー粒子を備えているとき、特に有利に用いられうることを見出した。例えば、カフェインを抜かれたコーヒー粒子は、比較的大量の微粒子を備えうる。
【０００６】
フィルタ層によって、微粒子の蓄積及び／又は出口開口の被覆が最小化される。加圧下の液体が、抽出可能な製品と相互作用するために、底（それは、入口開口、例えばスリットを備え、またはコーヒー装置によって開けられうる）を介してカプセルに入るとき、該抽出可能な製品は、コンパクト化されうる。抽出可能な製品、即ち焙煎され挽かれたコーヒーと蓋の出口開口を有する箔の間のフィルタ層の存在は、好ましい流れがフィルタ層を通して形成されることを可能にする。なぜなら、フィルタ層を通る流れ抵抗は、コンパクト化された抽出可能な製品の流れ抵抗よりも小さいからである。この好ましい流れはまた、飲料の調製時間に良い方向に影響する。また、コーヒー床の過度の圧縮は最小化される。従来技術のカプセルのコンパクト化されたコーヒーの領域は、ろ紙で満たされ、それによりそのような領域における低い流れ抵抗を与える。加圧下の液体が、抽出可能な製品と相互作用するために底を介してカプセルに入るので、該抽出可能な製品は、コンパクト化されうる。抽出可能な製品、即ち焙煎され挽かれたコーヒーと蓋の出口開口を有する箔の間のフィルタ層の存在は、好ましい流れがフィルタ層を通して形成されることを可能にする。なぜなら、フィルタ層を通る流れ抵抗は、コンパクト化された抽出可能な製品の流れ抵抗よりも小さいからである。この好ましい流れはまた、飲料の調製時間に良い方向に影響する。さらに、改良されたカプセルは、より良く制御された調製時間でコーヒーの調製を可能にする。例えば、コーヒールンゴ（lungo）を準備するために、調製時間は、公知の従来技術のカプセルを用いるときの３８〜５５秒ではなく、４０〜５０秒でありうる。このようにして、調製時間範囲は、より小さくなるであろう。焙煎され挽かれたコーヒーの微粒子が、フィルタ層によって捕捉されるので、これら粒子は準備された飲料に結局到達しないであろう。泡層は良好な品質である。泡層は、安定で、クリーンな外観をもち、かつ気泡の一様な分布を持っている。「泡層」は、準備された飲料の頂部に与えられるクレマ層と呼ばれることは知られている。クレマ層は、箔全体及び各出口開口が、または各出口開口への箔全体がフィルタ層で被覆される場合よりも一般に厚い。驚くべきことに、微粒子が箔へ到達することを防ぐことによって、カプセルは多量のコーヒーで満たされえること、及び／又は小粒子を有するコーヒーが使われ得ることが見出された。本発明に従うカプセルは、コーヒーの調製時間への、および準備された飲料内に含有される乾燥物質の量への積極的な効果を有する。本発明に従うカプセルを用いてコーヒーを準備するとき、準備されたコーヒーは、記載された公知の開かれたカプセルに対してより多くの乾燥物質（ＤＭＡ）、例えば近似的に１５％を含有しうる。さらに、準備されたコーヒー内の油の量は、大きく減らされ得る。このことは高品質のコーヒー飲料をもたらす。飲料を準備する間、箔は無傷のままであるので、上記箔と焙煎され挽かれたコーヒーの間に備えられたフィルタ層は、これにより、飲料を準備する間、また無傷のままである。
【０００７】
好ましくは、実質的にシート状のフィルタ層は、紙フィルタ物質層、不織物質層、または織った物質層を備える。好ましくは、該シート状フィルタ層は、紙フィルタ物質層または不織物質層を備える。そのような紙フィルタ物質は比較的小さな孔、少なくとも該箔の出口開口よりも小さな孔を備え、その孔は、焙煎され挽かれたコーヒーの小粒子を、出口開口に到達する前に引き留めるよう適合されている。
【０００８】
国際公開第2010/137952号および国際公開第2010/137963号の両方は、摂取に適する所定量の飲料を準備するためのカプセルを開示しており、該カプセルは、該カプセルから準備された飲料を排出するための出口領域を有する蓋を備えている開かれたカプセルでありうる。両出版物に、該蓋は適切な多孔性の及び／又は穿孔された物質の多層を備えうる。しかし、出口領域の開口を被覆しうるところの微粒子の蓄積の問題は、認識されておらず、また層の適切な組合せが上記問題を克服することを示唆するものでもない。
【０００９】
本発明の別の実施態様において、フィルタ層は、好ましくは、カプセルの第２の、開いた端部の最大横断面の少なくとも前面にわたって蓋に沿って実質的に平行に延在する。フィルタ層は、その中央領域に開口を備えうる。代替的に、フィルタ層は、１以上の開口（恐らく或るパターンで設けられる）、例えば円形開口、長方形開口、及び／又は三角形開口を備えうる。
【００１０】
本発明に従うカプセルの別の局面に従うと、フィルタ層は蓋に当接する。該フィルタ層は、該蓋に当てて備えられ、かつそれは焙煎され挽かれたコーヒーと蓋の間にきつく押圧されるという事実によって所望の位置に留まる。その結果、該フィルタ層は、カプセル及び／又は蓋へ接続される必要はない。むしろ、該フィルタ層は、好ましくは上記蓋の周囲縁に隣接する該フィルタ層の周囲縁で接続されうる。本発明の別の実施態様において、該フィルタ層は、該フィルタ層の表面全体に沿って蓋に接続されうる。該フィルタ層および該蓋のアセンブリは、それが１回の操作工程で該カプセルへ搭載されうるように予め製作されうる。該フィルタ層を該蓋へ少なくとも部分的に接続するとき、該フィルタ層の周囲縁は、該蓋と該カプセルの外向きに延在するリムの間に囲まれうる。該フィルタ層は、該蓋が該フィルタ層を介して該リムへ接続されるように、外向きに延在するリムの半径方向の長さ全体に沿って延在しうる。この場合、該フィルタ層は、該出口開口が該フィルタ層によって被覆されないように、少なくとも１つの開口を備えなければならない。代替的に、該フィルタ層は、外向きに延在するリムの半径方向の長さの部分に沿ってのみ延在しうる。その結果、該蓋は、該フィルタ層によって被覆されていないところのその半径方向の長さの部分に沿って、直接にリムに接続される。もし該フィルタ層のフィルタ物質が比較的薄いと、該フィルタ層は、該蓋と該リムの間の封止された接続によって適切な位置に保たれ得ることが見出された。該フィルタ層の外側周囲縁は、該リムまたは可撓性の箔へ接続されるとき、準備された飲料は、該フィルタ層を迂回しないであろう。該フィルタ層は、近似的に１０μｍ〜１ｍｍ、好ましくは５０μｍ〜０．２ｍｍの厚さを有しうる。該フィルタ層はまた、０．２ｍｍ〜１０ｍｍの範囲内、好ましくは０．２ｍｍ〜５ｍｍの範囲内、より好ましくは０．２ｍｍ〜２ｍｍの範囲内（そのような範囲から０．２ｍｍは除く）の厚さを有する。本発明の別の実施態様において、該フィルタ層は、その封止能力を高めるために封止特性を備えうる。
【００１１】
焙煎され挽かれたコーヒーの小粒子のフィルタ物質に沿う所望の拡散を得るために、もし紙フィルタ物質が、近似的に１〜２５０ｇ／ｍ２、より好ましくは１０〜１００ｇ／ｍ２、好ましくは近似的に１５〜５０ｇ／ｍ２の重さを有する紙であるならば、有利であり得る。代替的に、該フィルタ層は、合成物質、例えば高密度ポリエチレン（ＨＤＰＥ）を含有した不織物質層を備えうる。そのようなフィルタ物質は、タイベック（Tyvek）である。そのような不織物質層は、紙フィルタ物質で上に示したものと類似の厚さおよび重さを備えうる。さらに別の実施態様において、フィルタ層は、織られた又は不織の物質のスクリーンを備えうる。該スクリーンは、例えば、プラスチック材料、例えばＰＥのもの、または金属、例えばアルミニウムの薄い層のものである。
【００１２】
紙フィルタ物質またはフィルタ層の不織物質は、約２００パスカルの圧力で測定された最大５５０ｍｍ／秒の空気透過性を有する。そのような空気透過性は、微粒子が箔の出口孔に到達するのを妨げるための、上記微粒子の係留を高めるフィルタリング特性を示す。空気透過性は、Δｐ＝２００パスカルで１０〜３０００ｍｍ／秒の範囲内で、ろ紙、不織および織られた繊維の空気透過性を測定するように構成されているところのAkustron空気透過性テスターで測られる。
【００１３】
フィルタ層を箔に対して封止するために該フィルタ層の封止特性を高めるため、該フィルタ層物質は、プラスチックを含有しえ、又は被覆されうる。この場合、好ましくは被覆またはプラスチックは、箔に向き合う。例えば、該フィルタ層は、ポリエチレン（ＰＥ）または別の適切なプラスチックを備えうる。
【００１４】
別の実施態様において、フィルタ層は、該フィルタ層の１つの表面で箔に接続され、且つ該フィルタ層の反対側の表面上に備えられた別の箔層に接続されうる。そのような別の箔層は、蓋の開口よりも僅かに大きな且つ該フィルタ層の孔よりは非常に大きな開口を備えうる。そのような出口層は、予め製作されえて、容易にカプセル本体へ接続されうる。
【００１５】
蓋の箔は、閉じられたカプセル（即ち、少なくとも閉じられた蓋を備えるカプセル）の蓋を刺通することを意図された蓋刺通手段を備える装置において用いられるとき、無傷のままであるように構成されうる。該箔の引裂き強度および剛性は、例えば流体圧の影響下で該蓋刺通手段に対する該箔の裂開が妨げられるように選択されうる。
【００１６】
本発明に従う実施態様において、該箔は、多層箔でありうる。該多層箔は、第１物質層と第２物質層を備えうる。該第１層は、該第２層よりもよりも高い剛性を有しえ、そして該第２層は、該第１層よりも高い引裂き強度を有しうる。該第１層は、ポリエチレンテレフタレート（ＰＥＴ-Ｐ）でありえ、そして該第２層は、共重合ポリプロピレン（ＣＰＰ）でありうる。好ましくは、ＰＥＴ-Ｐの該層は、約１５μｍの厚さを有し、そしてＣＰＰの該層は、約３０μｍの厚さを有する。ＣＰＰの該層は、ＰＥＴ-Ｐの該層よりも高い引裂き強度を有しうる。ＰＥＴ-Ｐの該層は、ＣＰＰの該層よりも高い剛性を有しうる。これらの層は、一緒に接着される。そのような多層箔は、例えば流体圧の影響下で該蓋の裂開を回避する。
【００１７】
該箔の該出口領域は、例えば５０〜２５０の開口、好ましくは７０〜１９０、より好ましくは１００〜１６０の開口を有しうる。該箔の開いている面、即ち該開口の合計面は、近似的に０．４〜４９．１ｍｍ２でありうる。該出口開口の平均直径は、０．１〜０．５ｍｍでありうる。該箔は、様々な直径を有する、及び／又は様々なパターンで与えられる開口の組合せを有しうる。そのような箔は、飲料の準備の間、該カプセルの該箔の引裂きを防ぐために、実質的に低い流れ抵抗を形成しうる。このことは飲料の制御された準備にとって有利である。以前に述べたように、該箔のお陰で、フィルタ層は同様に無傷のままであろう。
【００１８】
本発明に従うカプセルは、高圧下で所定量の熱湯を該カプセルへ供給することによって所定量の飲料を準備するのに適しており、それにより供給された水で飲料成分を抽出する。例えば、交換可能なカプセルは、所定量の飲料成分、例えば４〜１１グラム、好ましくは５〜８グラム、より好ましくは５．３〜６グラムを備えうる。そのようなカプセルは、飲料の単一部分、好ましくは１杯の飲料、例えば２０〜３０ｍｌ（３０ｍｌは除外）から３０〜２００ｍｌの準備された飲料を準備するのに適しかつ意図される。該交換可能なカプセルは、このように単一部分パックである。本発明に従う該交換可能なカプセルは、使い捨てカプセルでありうる。好ましくは、カプセルの内部空間は、約１０〜２０ｍｌ、好ましくは１１〜１８ｍｌの容積を有しうる。このことは一般に、カプセルを１杯の飲料を準備するのに適するようにする。例えばエスプレッソを準備するためのカプセルは、約１２ｍｌの内部空間を有しうる。液体をカプセルに入れることを可能にするために、カプセルの底は入口フィルタ、例えば実質的に剛性の底であって、複数の入口開口又は例えば多孔性のシート、例えば紙シートまたはそのような不織物質、または穿孔されたシート、例えば複数の入口開口を備える高分子フィルムを備える底を、これを通して該液体を抽出可能な製品へ供給するために備えうる。入口フィルタは、例えば複数のスリットを有する実質的に剛性の底を備えうる。１実施態様において、該スリットは、該底の中心から半径方向外向きに該入口フィルタの外側周囲縁の方へ延在しうる。１実施態様において、該複数のスリットは、様々なパターンで配置しうる。入口フィルタに入口開口を与えることによって、例えば、該カプセルを該装置から取り外すときに、焙煎され挽かれたコーヒーを台無しにするのは防がれる。入口フィルタは、その中央領域で凹所を備えうる。そのような入口フィルタは、例えば国際公開第2012/019902号にある。入口フィルタは、飲料を準備するために装置内でのカプセルの使用の際、無傷を保つように構成されうる。例え、該装置が、閉じられたカプセルの底を刺通するための底刺通手段を備えているとしても、本発明に従うカプセルの底は、無傷のままであるように構成されうる。本発明の代替的実施態様において、カプセルは、使用中、流体を該カプセルの内部空間へ供給することを可能にするため、該カプセルに供給開口与えるための蓋刺通手段によって刺通されるところの閉じられた底を備えうる。
【００１９】
これは一般に、カプセルを１杯の飲料を準備するために適するようにする。好ましくは、該出口開口は、抽出可能な製品に直接に向き合う。これは、有利な点として、使用中、該出口開口が、該成分中の微粒子によって部分的に閉塞されうることを有する。もし出口開口が使用中に、部分的に閉塞され、もし加圧下（例えば１〜２０バール）の水がカプセル内へ提出されるならば、圧力の上昇があるであろう。この圧力の上昇は、もし抽出可能な製品が挽かれたコーヒーであるなら、該抽出可能な製品から気体が逃れうるという結果をもたらす。これらの気体は、もし飲料がカップに集められると、飲料の上部にクレマ層を提供する。フィルタ層は、一方で、出口開口が、調製時間が受入れがたい長さ、例えば約５５〜６５秒になる程度にまで閉塞されないことを保証する。該フィルタ層の比較的低い流れ抵抗によって、カプセル内の流体の流速は増加しうると考えられ。このことは、結果的に、出口開口が受け入れがたい程度までは閉塞されないことでありうる。同様に、調製時間は、飲料中のＤＭＡの量が少なくなるように，受け入れがたい程小さくはならない。直接に向き合うことは、出口開口が、そのような開口が抽出可能な製品に隣接し又は実質的に当接するような別のシートによって被覆されないことを意味している。複数の被覆されない出口開口は、しかし何もない空間によって抽出可能な製品から分離されうる。しかし、この空間は、追加の要素または物質が使われていないことは理解されよう。このようにして、使用中、所望の流れ抵抗が、抽出可能な製品に直接向き合うところの複数の出口開口に到達する微粒子の堆積によって得られる。
【００２０】
このように、フィルタ層の寸法、出口開口の数と位置、および成分のタイプに依存する出口開口の寸法を取ることによって、飲料を調製するための上手くバランスのとれた方法が得られる。例えば、フィルタ層によって被覆されていないところの箔の表面は、カプセルの内部空間の境界を形成するところの箔の合計表面積のｐ％を備える。ここで、ｐは、２９〜９９．５の範囲内、好ましくは４４〜９９．５の範囲内、より好ましくは４４〜９９．５の範囲内にある。好ましくは、フィルタ層によって被覆されておらず且つ出口開口を備えるところの箔の表面積は、ｆ＊ｐ％である。ここで、ｆは０．５〜１の範囲内にある。もしｐ＝１であるならば、出口開口は、フィルタ層によって被覆されていないところの箔の表面全体に亘って拡げられる。しかし実験は、出口開口がまた、紙層によって被覆されていないところの箔の領域の部分のみにありうることを示した。例えば、一方で飲料におけるＤＭＡの量を実質的に低下させることなく、他方で短縮された調製時間を提供するために出口開口を備え且つフィルタ層によって被覆されていないところの別の領域に加えて、もし周囲壁に隣接するところの箔の周囲領域が出口開口を備えておらず、この領域はフィルタ層によって被覆されていないならば、有益でありうることが見出された。代替的に、フィルタ層は、周囲壁へ延在する、より特別にはフィルタ層の外側境界全体が周囲壁へ延在する。１実施態様において、フィルタ層によって被覆されるところの箔の表面領域の第１部分は、周囲壁に少なくとも実質的に完全に隣接して置かれる。より特別には、そのような実施態様において、箔の第１部分の外側境界のｃ％は、周囲壁に隣接して置かれる。ここで、ｃは、５０を超え、好ましくは８５を超え、より好ましくは９５を超え、そしてｃは、最も好ましくは１００である。そのような実施態様は、調製結果はまた非常に予測可能であると上で議論したように満足のいく調製結果を提供しうる。もし距離が、箔に隣接するカプセルの内部空間の最大直径の３％よりも小さいと、及び／又はここで、好ましくは、ｂは０．５ｍｍ未満であると、距離は、例えば隣接している。議論された実施態様において、好ましくはフィルタ層は、箔に隣接する周囲壁の各位置へ延在する。カプセルにおいて、カプセルの入口側（底）から出口側（箔）への周囲壁沿った好ましい流れが存在する。この流れは、フィルタ層が比較的低い流れ抵抗を有するので、フィルタ層内へと曲げられ、そしてカプセルの中央領域の方へ連続していると考えられている。それによって、調製時間は改善される。
【００２１】
１の代替の実施態様において、フィルタ層は周囲壁まで延在していない。その場合、それは箔の中央領域に島を形成しうる。その場合、入口側から出口側のフィルタ層への方向の流体の流れは、フィルタ層内へと曲げられ、そして周囲壁の出口開口の方への方向における半径方向に流れうる。再び、フィルタ層を通る流れは、使用中にカプセル内のフィルタ層の相対的に低い流れ抵抗のせいで、比較的に容易であると信じられている。それにより、流体の速度は、増大させられうる、出口開口が余りにも大きく閉塞されるようになるのを防ぐ結果をもたらし、一方で調製時間は受け入れうる短さを維持しており、且つ他方で飲料のクレマ層および飲料中のＤＭＡの量は予測可能且つ満足できるものになる。
【００２２】
議論された実施態様の各々において、更に、フィルタ層は、１の（追加の）開口を、例えば該フィルタ層の中央領域に備えることが可能である。該開口は、最大表面積を有する出口開口の表面積よりも大きいところの表面積を有する。フィルタ層の開口の領域において、少なくとも１つの又は複数の出口開口が備えられうる。もし出口開口が備えられないときは、この領域は特に、カプセル内の流体の平均流れ抵抗を平衡させるために用いられる。またフィルタ層は、複数の開口を備えうる。この場合。好ましくは各開口は、最大表面積を持つ出口開口の表面積を超えところの表面積を有している。
【００２３】
１の実施態様において、箔の表面領域の第２部分（ここで複数の出口開口が分布させられている）は、周囲壁から少なくとも実質的に完全に或る距離に置かれる。この場合、フィルタ層は、例えばリング形状を有しうる。
【００２４】
１の実施態様において、フィルタ層によって被覆されるところの箔の表面領域の第３部分は、周囲壁から少なくとも実質的に完全に或る距離に置かれる。この場合、フィルタ層は、上で検討したように島の形状を有しうる。この場合、フィルタ層は、ディスクの形状を有してもよい。フィルタ層は、その形状が図１２に示されているところのＤＥブランドの形状でさえ有しうる。
【００２５】
好ましくは、箔の表面領域の第３部分の外側周囲境界のａ％は、周囲壁から或る距離に置かれることは妥当である。ここで、ａは、５０を超え、好ましくは８５を超え、より好ましくは９５を超え、そしてａは、最も好ましくは１００であり、或る距離は、箔に隣接する内部空間の直径の５〜３０％として規定される。もしａ＝１００であれば、フィルタ層は、周囲壁に対して島でありうる、もしａが１００未満であれば、周囲壁に対して半島でありうる。
【００２６】
リングの実施例において、リングの中央開口は、例えば、箔でのカプセルの内部空間の最大直径の２５％〜７５％の範囲内にある最大直径を有しうる。周囲壁に隣接する箔であって且つリングによって被覆されていない箔の面積は、好ましくは内部空間の境界を形成するところの箔の総面積のｘ％であり、ｘは、１０〜５０の範囲内、好ましくは１５〜４０の範囲内である。これは、満足な調製時間を与える。リングの中央開口は、例えば、箔での内部空間の最大直径の１５％〜６０％の範囲内にある最大直径を有しうる。この場合、好ましくはフィルタ層の外側周囲境界は周囲壁に隣接して置かれ、そしてここで好ましくは中央領域は、Ｓｍｍの断面を有し、Ｓは、１２〜２６の範囲内、好ましくは１４〜２５の範囲内、より好ましくは１６〜２４の範囲内にあり、そして好ましくは、内部空間の境界を形成するところのフィルタ層の該部分の外径は、約２８〜３０ｍｍの断面を有し、及び／又は好ましくは箔の近くの内部空間の直径は約２８〜３０ｍｍである。
【００２７】
代替的に、フィルタ層は、ストリップの形状を有しうる。この場合、ストリップの形状を有するフィルタ層は、周囲壁に隣接する２つの対向する端部および周囲壁から或る距離に置かれた２つの対向する側部を備えうる。
【００２８】
場合により各実施態様について、フィルタ層の中心が、内部空間の境界を形成するところの箔のあの部分の中心と少なくとも実質的に対応することは妥当である。代替的に、場合により各実施態様について、フィルタ層の中心が、内部空間の境界を形成するところの箔のあの部分の中心と箔に平行な方向にずれていることは妥当である。中心は、この場合、フィルタまたは内部空間の境界を形成するところの箔のあの部分の形状として夫々同じ周囲形状を有する平坦な製品の重心として規定される。
【００２９】
好ましい実施態様において、複数の出口開口が分布されている箔の表面領域の外側境界は、少なくとも実質的に完全にまたは完全に、周囲側壁から或る距離に置かれる。任意的に、一方で飲料の品質をそして他方で調製時間を最適化するために、フィルタ層は、カプセルの内部空間の容積のｃ％を満たす。ここで、ｃは、０．１〜８の範囲内、好ましくは０．１〜６．５の範囲内、より好ましくは０．１〜３の範囲内にある。フィルタ層によって充填されるところのカプセルの内部空間の容積を保つことによって、使用中、好ましい流れがその内部で確立されうるところの、及び／又は好ましい流れがそこを通して流れうるところの、カプセルの容積が提供される。
【００３０】
好ましくは、フィルタ層が塞ぐところの容積は、箔に隣接して、または箔の少なくとも近傍に置かれる。
【００３１】
任意的に、フィルタ層の流れ抵抗は、抽出可能な製品の流れ抵抗よりも高い。好ましくは、フィルタ層の流れ抵抗は、９〜１８バールの圧力下での流体を用いて抽出されるとき、抽出可能な製品の流れ抵抗よりも小さい。場合により、フィルタ層の流れ抵抗は、９〜１８バールの圧力下での流体を用いて抽出されるとき、抽出可能な製品の流れ抵抗よりもＧ倍小さい。ここで、Ｇは、１０〜３０の範囲内、好ましくは１５〜２５の範囲内、より好ましくは１８〜２２の範囲内にある。Ｇは、モデル化に基づいて評価される。
【００３２】
抽出の間、加圧下の流体は、抽出可能な製品と相互作用するために底を介してカプセルに入るので、抽出可能な製品はコンパクト化される。フィルタ層をコンパクト化された床よりも小さな流れ抵抗を有するように選択することは、好ましい流れが形成され及び／又は継続することを可能にする。好ましい流れに影響を与えることは、より制御可能な調製条件をもたらす。このようにして、改良された飲料が確実に得られうる。抽出可能な製品の流れ抵抗よりも近似的に２０倍も小さい流れ抵抗を有するフィルタ層は、抽出されるとき、望ましいことが、モデル化の助けで評価されてきた。このことはまた、この応用において他のところで与えられたそのような値に適用される。
【００３３】
抽出されるとき、Ｇバール、ここでＧは４〜２０の範囲内、好ましくは９〜１８の範囲内にある、の圧力下で流体を供給することを含んでいることは明らかであろう。該流体は水でありうる。この場合、加圧下の該水は、例えば７０〜９０℃よりも高い温度で供給されうる。
【００３４】
フィルタ層の低い抵抗は、好ましくはＴによって特徴付けられる。ここで、Schroder Pruftechniksからのヘルツベルク（Herzberg）デザインのろ紙試験装置を用いるとき、Ｔは、１００ｍｌの水が、３３ｃｍの出発の水柱で始めて、該フィルタ層のサンプルの１０ｃｍ２の面積を通して、該サンプルが置かれるところの平面に垂直な方向に流れる、秒での時間である。ここで、水温は２０℃であり、Ｔは４〜１５０の範囲内、好ましくは４〜３０、より好ましくは５〜２０、例えばろ紙について４〜１５の範囲内、例えば白不織布について６０〜１５０、および例えば青不織布について４５〜８０にある。好ましくは、抽出可能な製品の密度は、Ｄｇ／ｃｍ３であり、Ｄは、０．２７８〜０．５の範囲内、好ましくは０．３１３〜０．４５５の範囲内、より好ましくは０．３７９〜０．４１６の範囲内にある。この場合、フィルタ層は、カプセル内の流体の流通路に影響を与えうる。
【００３５】
好ましくは、抽出可能な製品は、挽かれたコーヒーであり、該抽出可能な製品の平均粒子サイズは、Ｅマイクロメートルであり、Ｅは、１００〜１０００の範囲内、好ましくは２００〜７５０の範囲内、より好ましくは２５０〜５００の範囲内にある。
【００３６】
好ましくは、抽出可能な製品の粒子は、体積のＬ％の微粒子を備え、Ｌは、７〜６０の範囲内、好ましくは８〜３０の範囲内、より好ましくは１０〜２０の範囲内にある。微粒子は、１００μｍ未満の粒子であると理解される。この出願において微粒子の量の測定は、r6レンズを備えるSympatec のレーザ回折装置によって実行される。
【００３７】
フィルタ層を備えることによって、出願人は、コーヒーを調製するためのカプセルのコーヒーパラメータに関してより多くの可能性を利用できることを見出した。再現可能であり及び／又は制御可能である調製方法を維持しつつ、抽出可能な製品の様々な、密度、平均粒子サイズ、及び／又は微粒子の百分率が、用いられうる。さらに、１杯の改良されたコーヒーが、ユーザーのために、所望の乾燥物質量、クレマ層および受容可能な調整時間を有して得られうる。
【００３８】
検討された実施態様において、箔（２４）の出口領域は、例えば、５０〜２５０の開口（２５）、好ましくは７０〜１９０、より好ましくは１００〜１６０の開口を備えうる。また好ましくは、出口開口の平均開面積は、出口開口当りｚｍｍ２であり、ｚは、０．００８〜０．２の範囲内、好ましくは０．０３〜０．１３の範囲内、より好ましくは０．０５〜０．１の範囲内にある。各出口開口の平均最大直径は、出口開口当りｄμｍであり、ｄは、１００〜５００の範囲内、好ましくは２００〜４００の範囲内、より好ましくは２５０〜３５０の範囲内にある。
【００３９】
実用的な実施態様において、フィルタ層は、リング形状を有し、該フィルタ層の外側周囲境界は、周囲壁に隣接して在り、そして好ましくは中央領域はＳｍｍの断面を有し、Ｓは、４５〜８５の範囲内、好ましくは５０〜８０の範囲内、およびより好ましくは６０〜７５の範囲内にあり、かつ好ましくは内部空間の境界を形成するところの該フィルタ層の該部分の外径は、２８〜３０ｍｍの断面を有し、及び／又は好ましくは箔の近くでの内部空間の直径は約２８〜３０ｍｍである。
【００４０】
フィルタ層は、例えばＴｍｍの厚さを有しうる。ここで、Ｔは、０．０１を除く０．０５〜０．０１、または０．０１〜１または１を除く１〜１０、好ましくは０．０５〜０．５、より好ましくは０．０５〜０．２の範囲内にある。フィルタの厚さは、該フィルタを通る好ましい通路に影響を与えることができ、またフィルタによって捉えられる微粒子量を増加させうる。追加のフィルタ物質は、好ましい流れがその中に確立されうるところの、及び／又は好ましい流れがそれを通って流れうるところのカプセルの内部空間の追加の容積を与える。
【００４１】
任意的に、該フィルタ層は、副フィルタ層のスタックを備え、各副フィルタ層はシート状である。副フィルタ層の積み重ねを通して、所望のフィルタ厚さが達成されうる。該スタックは、例えば２〜１０の副フィルタ層を備えうる。
【００４２】
任意的に、該抽出可能な製品は、Ｈグラムの挽かれたコーヒーを備え又はＨグラムの挽かれたコーヒーから成る、ここで、Ｈは、４〜１１の範囲内、好ましくは５〜８の範囲内、より好ましくは５．３〜６の範囲内にある。該フィルタ層のお陰で、調製中に箔が微粒子によって閉塞されるというリスクを増大させることなしに、より多くの挽かれたコーヒーが、カプセル内に与えられうる。
【００４３】
また、フィルタ層を備えることによって、出願人は、コーヒーを調製するためのカプセルのコーヒーパラメータに関してより多くの可能性が利用できることを見出した。再現可能な及び／又は制御可能であるとことの調製方法を維持しながら、挽かれたコーヒー及び／又はより細かなコーヒーの様々な量が。用いられうる。さらに、改良された１杯のコーヒーが、所望の乾燥物質量、クレマ層、およびユーザーにとって受容しうる調製時間を有して得られうる。
【００４４】
実施態様の各々について、底は、カプセルの入口開口を形成する複数のスリットを備える。
【００４５】
本発明はまた、抽出可能な製品を使用して摂取に適する所定量の飲料を準備するためのシステムに関しており、上述された交換可能なカプセルおよび該交換可能なカプセルを保持するための収容器、および加圧下の或る量の流体、例えば水を該交換可能なカプセルに供給するための流体分配デバイスを備える、ここで、該流体分配デバイスは、飲料を形成するための底を通して該流体を抽出可能な製品へ供給するように配置され、該収容器は支持表面を備え、そして、該カプセルは、該カプセルから該蓋および該支持表面を通して準備された飲料を排出するために該支持表面に少なくとも部分的に当接するように配置され、該蓋は、準備された飲料の排出のための出口領域を画定する複数の出口開口を有する可撓性の箔を備え、該抽出可能な製品と該蓋の間の該カプセル内部に、実質的にシート状のフィルタ層が、該箔内の該出口開口の何れをも被覆しないで与えられ、該システムは、準備された飲料をカプセルから排出させるために、使用中、該蓋と流体連絡している出口を備え、そして該飲料を容器、例えばカップへ供給する。本発明に従う該カプセルを本システムの該装置内で用いるときに、該カプセルで記載されたような同じ効果と有利点が得られる。該システムの該装置の該支持表面は、例えば密封的に封止された閉じられたカプセルの出口領域を刺し貫くことを意図された蓋刺通手段を備えうるのは、そのようなカプセルの該出口領域が、該流体、及び／又は該飲料が上記密封的に封止されたカプセルからそれを通して排出されるところの少なくとも１つの出口開口を作るための該カプセル内の飲料の圧力の影響下で該蓋刺通手段に対して十分に押圧されるときである。本発明に従う該カプセルがそのような装置において用いられ場合、出口開口を有する該箔および、上記箔と該カプセル本体内の該焙煎され挽かれたコーヒーとの間に設けられた該フィルタ層は、無傷のままであろう。しかし、該蓋は該蓋刺通手段に対して変形しうる。その結果として、該焙煎され挽かれた粒子は、調製の間、および飲料の出来上がり後の該装置から該カプセルを取り除く間、該カプセル内に残留するであろう。該箔の該出口開口に到達する前に微粒子を留めておくことができるので、該フィルタ層は、約２００パスカルの圧力で測られた０〜２０００ｍｍ／秒の空気透過性を有しうる。該システムの手段によって、カップ、例えば約３５〜５０ｍｌで６ｃｍの直径をもつ円筒状内部空間を有する、に準備された該飲料は、高さＲｍｍのクレマ層を備える。ここで、Ｒは、２〜１６の範囲内、好ましくは４〜１２の範囲内、そしてより好ましくは５〜８．５の範囲内にある。
【００４６】
本発明はまた、本発明に従うシステム（１）及び／又は本発明に従う交換可能なカプセル（２）を用いて、抽出可能な製品を使い摂取するのに適した所定量の飲料を準備するための方法に関する。
【００４７】
本発明はこれ以降、図面を参照しつつ非限定的な実施例を用いてさらに説明されるであろう。
【図面の簡単な説明】
【００４８】
【図１】本発明の第一実施態様に従う飲料を準備するためのカプセルを伴うシステムの１例を示す断面図である。
【図２】本発明の第二実施態様に従うカプセルを伴うシステムの第２実施例を示す断面図である。
【図３】本発明に従うカプセルの第三実施態様を示す断面図である。
【図４】本発明に従うカプセルのフィルタ層の１実施例を示す平面図である。
【図５】本発明に従うカプセルのフィルタ層の別の実施例を示す平面図である。
【図６】本発明に従うカプセルのフィルタ層のさらに別の実施例を示す平面図である。
【図７】本発明に従うカプセルのフィルタ層のまた別の実施例を示す平面図である。
【図８】本発明に従うカプセルのフィルタ層の１実施例を示す平面図である。
【図９】本発明に従うカプセルの追加のフィルタ層の代替の実施例を示す平面図である。
【図１０Ａ】本発明に従うカプセルの図式的断面図である。
【図１０Ｂ】図１０Ａのカプセルの内側からの、方向Ｂの視点での図式的平面図である。
【図１１Ａ】本発明に従うカプセルの図式的断面図である。
【図１１Ｂ】図１１Ａのカプセルの内側からの、方向Ｂの視点での図式的平面図である。
【図１２Ａ】本発明に従うカプセルの図式的断面図である。
【図１２Ｂ】図１２Ａのカプセルの内側からの、方向Ｂの視点での図式的平面図である。
【図１３Ａ】本発明に従うカプセルの図式的断面図である。
【図１３Ｂ】図１３Ａのカプセルの内側からの、方向Ｂの視点での図式的平面図である。
【図１４Ａ】本発明に従うカプセルの図式的断面図である。
【図１４Ｂ】図１４Ａのカプセルの内側からの、方向Ｂの視点での図式的平面図である。
【図１５Ａ】本発明に従うカプセルの図式的断面図である。
【図１５Ｂ】図１５Ａのカプセルの内側からの、方向Ｂの視点での図式的平面図である。
【発明を実施するための形態】
【００４９】
様々な図面における同一または対応する要素は、同一または対応する参照番号で指示されることが注意される。示された典型的な実施態様は、如何なる仕方においても限定的に解釈されるべきではなく、かつ単に説明としての役割を果たす。
【００５０】
図１は、本発明に従う、抽出可能製品を用いて摂取に適する所定量の飲料を準備するためのシステム（１）の第一実施態様の１実施例を示している。システム（１）は、交換可能なカプセル（２）および装置（４）を備えている。装置（４）は、該交換可能なカプセル（２）を保持するための収容器（６）を備えている。図１において明瞭のために、カプセル（２）と収容器（６）の間に空隙が描かれている。使用において、該カプセル（２）は、該収容器（６）と接触して置かれうることが、理解されるであろう。この実施例において、収容器（６）は、該カプセル（２）の形状に少なくとも部分的に相補的な形状を有している。この実施例において、該収容器（６）は、上側部分（８）および支持面（１０）を備えている。該装置（４）はさらに、カプセル（２）内部の圧力が十分高くされるとき、密封的に封止されたカプセルの蓋を刺し貫くために備えられるところの蓋刺通手段（３０）を備えている。装置（４）はまた、該交換可能なカプセル（２）に高圧下で、流体、例えば熱湯の或る量を供給するための流体分配デバイス（５）を備えている。該流体分配デバイス（５）は、密封的に封止されたカプセルを刺し貫くことを同様に意図されるところの底刺通手段（１２）へ動作可能なように接続されている。図１において、該底刺通手段（１２）は、延ばされた位置で示されている。本発明に従うカプセル（２）は刺し貫かれる必要のない開かれたカプセルであるために、底刺通手段（１２）の端部は、カプセル（２）から近距離に置かれている。しかし、本発明の代替の実施態様において、該液体分配デバイス（５）は、該収容器の内部空間内に、該底刺通手段（１２）の近傍に延在するところの流体供給部を備えうる。そのような構成で、流体は、底刺通手段を介することなく、カプセルの上方の収容器（６）の内部空間へ供給される。別の実施態様において、カプセル（２）は、流体が該カプセルに入り、かつ抽出可能製品と接触できるようにカプセルに供給開口を与えるために、蓋刺通手段（１２）によって使用中刺し貫かれるところの閉じられた底を備えうる。
【００５１】
図１に示されたシステムにおいて、本発明に従う交換可能な開かれたカプセル（２）は、周囲壁（１４）、該周囲壁（１４）を第１端部（１８）で閉じる底（１６）、および該周囲壁（１４）を該底（１６）の反対側の第２端部（２２）で閉じる蓋（２０）を備えている。該周囲壁（１４）、該底（１６）、および該蓋（２０）は、飲料成分、例えば焙煎され挽かれたコーヒーを備える内部空間（２３）を囲んでいる。カプセル本体は、約４〜１１グラム、好ましくは５〜８グラム、より好ましくは５．３〜６グラムの焙煎され挽かれたコーヒーを充填されうる。平均粒子径は、１００〜１０００μｍ、好ましくは２００〜７５０μｍ、より好ましくは２５０〜５００μｍでありうる。該カプセルは、飲料の単一部分、好ましくは１杯の飲料、例えば３０ｍｌを除く２０ｍｌ〜３０ｍｌ、または３０〜２００ｍｌの準備された飲料、を準備するために適しうる。準備された飲料の所望の強さに依存して、抽出可能な製品の量は変わりうる。１杯のコーヒーを準備するために、カプセル（２）は約１１〜１８ｍｌの内部空間（２３）を有しうる。例えば、該内部空間（２４）は、約１２ｍｌの容積を有する。様々な種類のコーヒーを準備するために適するために、カプセル（２）は、０．２７８ｇ／ｃｍ３〜０．５ｇ／ｃｍ３の密度、好ましくは０．３１３ｇ／ｃｍ３〜０．４５５ｇ／ｃｍ３の密度、より好ましくは０．３５７ｇ／ｃｍ３〜０．４３４ｇ／ｃｍ３の密度、最も好ましくは０．３７９ｇ／ｃｍ３〜０．４１６ｇ／ｃｍ３の密度を有する焙煎され挽かれたコーヒーの量を備えうる。焙煎され挽かれたコーヒーに注ぐ量は、５００〜９００ｃｃ／２５０ｇ、好ましくは５５０〜８００ｃｃ／２５０ｇ、より好ましくは５７５〜７００ｃｃ／２５０ｇ、最も好ましくは６００〜６６０ｃｃ／２５０ｇコーヒーでありうる。本発明の別の実施態様に従うと、焙煎され挽かれたコーヒーは、１００〜１０００μｍの平均粒子径、好ましくは２００〜７５０μｍの平均粒子径、より好ましくは２５０〜５００μｍの平均粒子径を備えうる。そのような平均粒子径で、比較的大量の乾燥物質ひいては良好な品質を有するコーヒーが得られる。
【００５２】
図１の実施例において、周囲第１壁（１４）は、実質的に剛性である。該周囲第１壁（１４）は、例えばプラスチック材料を備ええて、例えば、射出成形、真空形成、または熱形成等によって形成されうる。この実施例において、底（１６）は周囲第１壁（１４）と一体化されている。この実施例において、第２壁（１６）は、実質的に剛性であり、そして流体がカプセル（２）に入るのを可能にするための複数の入口開口（１７）、場合によりスリットを備える。底（１６）は、カプセル（２）の入口フィルタを提供する。
【００５３】
カプセル（２）の蓋（２０）は、複数の出口開口（２５）を有する多層箔（２４）を備え、それを通して飲料がカプセル（２）から排出されうる。多層箔（２４）は、２つの層（２７、２８）を備えている。該２つの層（２７、２８）は、それらは相互に作用し合うことができ、及び／又は相互に強めあうことができるように互に結合される。物理的及び／又は化学的結合は、該複数の層のほぼ全表面にわたって与えられうる。この実施例において、第１層（２７）は、第２層（２８）よりも高い引裂き強度を有し、そして第２層（２８）は、第１層（２７）よりも高い剛性を有している。該層（２７、２８）の剛性及び強度は、該多層箔（２４）が、カプセル（２）内の高められた圧力に対して比較的一定の流れ抵抗を有しうるように、該互いに結合された層が、余りにひどく引裂かれず、裂傷せず、または変形しないようなものである。第１層（２７）は、好ましくはポリエチレンテレフタレート（ＰＥＴ-Ｐ）の層を備え、そして第２層（２８）は、好ましくは共重合ポリプロピレン（ＣＰＰ）の層を備えている。ＰＥＴ-Ｐの第１層（２７）は、約１５μｍの厚さを有し、そしてＣＰＰの第２層（２８）は、約３０μｍの厚さを有している。多層箔（２４）の出口領域は、好ましくは５０〜２５０の開口（２５）、好ましくは７０〜１９０の、より好ましくは１００〜１６０の開口を備え、平均開口直径は、０．１ｍｍと０．５ｍｍの間にありうる。このようにして、流体は、大きな領域にわたってカプセル（２）から排出されうる。したがって、抽出可能な製品からの飲料の非常に均一な排出が得られる。こうして、流体が抽出可能な製品中で優越的な通路をそれを介して流れるところの優越的な通路の生起のリスクは、大きく低下させられる。
【００５４】
図１の実施例において、カプセル（２）は、さらに外向きに延在するリム（１５）を第２端部（２２）で備え、該蓋（２０）は、例えば接着、または溶接等によって該外向きに延在するリム（１５）に接着されている。したがって、この実施例において、多層箔（２４）は、外向きに延在するリム（１５）に接着されている。
【００５５】
該カプセル（２）の内部空間（２３）内の抽出可能な製品と多層箔（２４）の間に、実質的にシート状のフィルタ層（２６）が、与えられている。本発明の第一の局面に従うと、該実質的にシート状のフィルタ層（２６）は、該箔（２４）の出口開口（２５）のどれをも被覆しない。このことは、図１に描かれている。該フィルタ層（２６）は、紙フィルタ物質層または不織物質層でありうる。該フィルタ層（２６）は、焙煎され挽かれたコーヒーの最小粒子、即ち内部空間（２３）内に容れられた微粒子を捕捉しうる。微粒子は、上記粒子が該箔（２４）の出口開口（２５）に到達する前に、該フィルタ層（２６）内に拡散であろう。少なくとも全ての微粒子が該出口開口に到達するわけではないので、このように水流を過度に制限しないで、所望の流れ制限が得られる。さらに、どのような理論によっても制限されることを望まないで、出願人は、該フィルタ層（２６）はまた、好ましい流れを確立しうること、及び/又は、好ましい流れが該フィルタ層（２６）を通して流れることを可能にすることを見出した。飲料調製の間、該フィルタ層（２６）は、該箔（２４）に隣接する領域において、カプセル（２）内のコンパクト化されたコーヒー床よりも低い流れ抵抗を有する。該フィルタ層（２６）を通る好ましい通路は、周囲壁に平行に延在する好ましい通路、および該箔に平行に、周囲壁から内向き半径方向に延在する好ましい通路を包含しうる。好ましい流れはまた、飲料の調製時間に良い影響を与えうる。またコーヒー床の過度の圧縮は、最小化される。こうして調製時間は改善される。したがって、該フィルタ層（２６）は、約１〜２５０グラム／ｍ２の重さ、より好ましくは１０〜１００グラム／ｍ２の、好ましくは約１５〜５０グラム／ｍ２の重さを有する、紙フィルタ物質でありうる。代替的に、該フィルタ層（２６）は、不織の又は織られた物質、例えば、高密度ポリエチレン（ＨＤＰＥ）のような合成物質でありうる。カプセルの実施例において、フィルタ層の物質はカレンダー仕上げされうる。該フィルタ層（２６）は、繊維の微細構造網、及び／又は網を備えうる。そのような物質の１例は、タイベック（Tyvek）である。異なる実施態様において、フィルタ層は、スクリーン、例えばプラスチックまたは金属スクリーンを備えうる。そのような物質層は、上で紙フィルタ物質で示されたのと類似の厚さおよび重さを備えうる。多層箔（２４）の出口開口（２５）に達する前に、微粒子を引き止めることが出来るように、該フィルタ層（２６）は、約２００パスカルの圧力で測定された０〜５５０ｍｍ／秒または５５０〜２０００（５００は除く）ｍｍ／秒の空気透過性を有している。図１に見られるように、該フィルタ層（２６）は、該多層箔（２４）に実質的に平行に延在し、そし多層箔（２４）内に設けられた出口開口（２５）のいずれをも被覆しない。
【００５６】
出口開口（２５）のいずれをも被覆しないように、フィルタ層は、例えばフィルタ層の中央領域に備えられた１の開口を備えうる（例えば図５参照）。これは図１に従うカプセル（２）のケースである。該フィルタ層（２６）の第１表面Ｐは、多層箔（２４）に、少なくとも該フィルタ層に向いている表面Ｓに当接しえて、そしてフィルタ層（２６）を適切な位置に保つように、焙煎され挽かれたコーヒーと多層箔（２４）の間に押し付けられうる。このケースにおいて、該フィルタ層（２６）は、カプセル（２）の他部に接続されていない。あるいは、該フィルタ層（２６）は、その全表面Ｓに沿って該多層箔（２４）へ接続されうる。該フィルタ層（２６）は、例えば多層箔（２４）へ封止され、または接着されうる。上記フィルタ層（２６）と該多層箔（２４）の間の封止特性を高めるために、該フィルタ層（２６）は、ポリエチレン（ＰＥ）を備えうる。その全表面に沿う該フィルタ層（２６）の該多層箔（２４）への接続の代わりに、該フィルタ層（２６）の周囲縁のみが、該多層箔（２４）へ接続されうる。
【００５７】
多層箔（２４）とフィルタ層（２６）の組合せは、例えば飲料の準備中若しくは後に又は使用後のカプセル（２）を装置（４）から取り除く間に、抽出可能な製品がカプセル（２）から出るのを防止し、それにより装置（４）の汚染を防ぎ、かつ同時に微粒子が、準備された飲料と共に容器に入るのを防ぐ。
【００５８】
多層箔（２４）は、カプセル（２）内の圧力の影響下で蓋刺通手段（３０）によって刺し貫かれないよう十分に高い引裂き強度を持つようにされる。フィルタ層（２６）は、蓋（９）の強度に貢献するように構成されうる。
【００５９】
代替的に若しくは追加的に、多層箔（２４）は、カプセル（２）を出る飲料に対する十分に低い流れ抵抗を形成し、従って蓋（２０）は、蓋刺通手段（３０）によって刺通されるに十分な力では蓋刺通手段（３０）に対して押圧されず、そして蓋（２０）は無傷のままである。より一般的には、多層箔（２４）および蓋刺通手段（３０）は、カプセル（２）が、使用中、蓋刺通手段（３０）によって刺通されず、そして蓋（２０）は無傷のままであるように相互に適合される。多層箔（２４）は無傷のままであるので、同様にフィルタ層（２６）は無傷のままであろう。しかし蓋（２０）は、蓋刺通手段（３０）に対して変形しうるということは理解されるであろう。
【００６０】
図１に示されたシステム（１）は、１杯のコーヒーを準備するために以下のように操作される。
【００６１】
カプセル（２）は収容器（６）内に置かれる。蓋（２０）は、支持表面（１０）と当接させられる。流体、ここでは加圧下の熱湯、が、流体分配デバイス（５）から底刺通手段（１２）の穴（１３）を介して、内部空間内の抽出可能な製品へ、カプセル（２）の底（１６）に備えられた入口開口（１７）を通して供給される。異なる実施態様（図示されていない）において、水は、該底刺通手段（１２）とは別に配置されるところの水供給部を介して供給されうる。熱湯は、約４〜２０バールの、好ましくは９〜１５バールの圧力下で、焙煎され挽かれたコーヒーへ供給されうる。水は挽かれたコーヒーを濡らし且つ所望の物質を抽出してコーヒー飲料を形成する。準備されたコーヒーは、多層箔（２４）およびフィルタ層（２６）を備える蓋（２０）を通してカプセル（２）から出るであろう。コーヒー飲料は、さらに、複数の出口（３２）を介して収容器（６）から排出され、そして容器（図示されていない）、例えばカップへ供給されうる。カプセル（２）の内部空間（２３）内の焙煎され挽かれたコーヒーへの水の供給の間、コーヒー粒子は、カプセル（２）の内部空間（２４）内で再分布させられる。比較的小さな粒子、即ち微粒子は、水と共に蓋（２０）の方へ移動させられ、そして微粒子のいくらかは、フィルタ層（２６）によって捕捉され、そして上記層（２６）内に拡散する。それにより、上記微粒子による出口開口（２５）での蓄積は、低減される。さらに、フィルタ層（２６）を通る流れ抵抗が、コンパクト化された焙煎され挽かれたコーヒー製品を通る流れ抵抗よりも、好ましくは１０〜３０倍小さいので、周囲壁（１４）に沿って形成される好ましい流れは、フィルタ層（２６）に入りうると信じられている。好ましい流れは、内向きの半径方向に流れ続け、そして箔（２４）に備えられた出口開口（２５）を通ってカプセル（２）を出る。こうして調製時間は改善される。
【００６２】
図２に、本発明の第二実施態様に従うカプセル（２）を備えるシステム（１）の別の実施例が示されている。明瞭のために、第１実施例に従うシステム（１）に対して異なる点のみが議論されるであろう。図２に従うシステム（１）の装置（４）は、底刺通手段（１２）を備えていない。図２の実施例において、複数の入口開口（１７）は、実質的に底（１６）全体にわたって分布させられている。このように、流体は、複数の入口開口（１７）を介して抽出可能な製品へ供給され、このことは、抽出可能な製品をカプセル（２）の実質的に全断面にわたって濡らす原因となる。したがって、流体の抽出可能な製品への非常に均一な供給が得られる。
【００６３】
本発明の第二実施態様に従うカプセル（２）は、第一実施態様に従うカプセル（２）に対して蓋（２０’）が異なる構成を有することにおいて異なるのみである。フィルタ層（２６）は、箔（２４）の出口開口（２５）のいずれをも被覆しない。フィルタ層の中央領域に備えられた開口を備えるフィルタ層（２６）（例えば図５を参照）は、該蓋の多層箔（２４）のように実質的に同じ外径を有している。フィルタ層（２６）は、その周囲縁で該リム（１５）へ、少なくとも該リム（１５）の蓋（２０’）と向き合う表面へ接続されている。フィルタ層（２６）をリム（１５）へ直接的に封止できるように、フィルタ層（２６）はプラスチック、例えばＰＥ含有物を備えうる。代替的に、フィルタ層（２６）は、被覆されうる。多層箔（２４）は、表面全体にわたって又は周囲縁のみに沿ってのどちらかでフィルタ層（２６）に対して封止されうる。もしフィルタ層（２６）のフィルタ物質が十分薄いと、多層箔（２４）およびリム（１５）を一緒に溶かすことは、フィルタ層（２６）を適切な位置に保持しうるのに十分である。この場合、フィルタ層（２６）のフィルタ物質が、追加的な封止特性、例えば可塑性または被覆性を備えなければならないわけではない。
【００６４】
システムの図示されていない別の実施態様において、装置は、本発明に従うシステムの第一または第二実施例に記載されたような装置とは異なりうることは理解されよう。例えば、装置は、カプセル（２）の蓋（２０）と装置（４）の出口開口（２８）の間に中空空間を備えうる。また、蓋刺通手段（３０）は省かれうる。こうして、本発明に従うカプセルは、高圧を用いて飲料を準備するためのなんらかの適切な装置において用いられうる。
【００６５】
図３に、本発明に従うカプセル（２）の別の実施態様が示されている。カプセル（２）は、図１に示されたような装置（４）、又は図１に示されたような装置（４）、又はなんらかの別の適切な装置において用いられうる。
【００６６】
図３のカプセル（２）は、図１及び２（そこでは、底（１６）および蓋（２０”’）が異なって構成されている）のカプセル（２）とは異なっている。明瞭のために、異なっている点のみがここで詳細に検討されるであろう。図１及び／又は２を参照して前に記載された特徴の記載はここでは省かれる。
【００６７】
図３に示されたようにカプセル（２）の蓋（２０”）は、第１物質層（２７）および第２物質層（２８）を有する多層箔（２４）を備えている。フィルタ層（２６）は、カプセル（２）の内部空間（２３）に準備された焙煎され挽かれたコーヒーと多層箔（２４）の間に置かれるところの該フィルタ層の中央領域に備えられた開口を備えるろ紙を備えている（例えば図５を参照）。フィルタ層（２６）の周囲縁は、蓋（２０”）と外向きに延在するリム（１５）の間に囲まれている。フィルタ層（２６）は、蓋（２０”）をリム（１５）へリム（１５）の外側部分で接続する封止手段によって所望の位置に留まりうる。入口フィルタ（１９）は、底開口（１７’）に沿って延在するように底（１６）へ接続される多孔質シート、例えばろ紙を備えている。入口フィルタは、カプセル（２）の底（１６）の周囲縁へ接続される。
【００６８】
図４〜９は、それぞれの可撓性の箔層、例えば多層箔（２４）の上部に備えられうるフィルタ層（２６）の別の実施例を示している。そのようなフィルタ層（２６）は、本発明に従うカプセル（２）内に備えられうる。図４に、多数の実質的に円形の穴を備えるところの紙又は不織フィルタ層が示されている。該箔（２４）内に備えられた出口開口は、フィルタ層（２６）が、該箔（２４）と内部空間内の抽出可能な製品の間に置かれるとき、出口開口のいずれもがフィルタ層（２６）によって被覆されないように、実質的に円形の穴に対応している。こうして、それぞれの穴の間に延在する物質は、カプセル（２）の該箔（２４）内の出口開口（２５）のいずれをも被覆しない。
【００６９】
図５において、フィルタ層（２６）は、好ましくは該箔（２４）の中央領域の上部に置かれるところの単一の開口を備えうる。この実施態様において、図１〜３に記載されたカプセル（２）のように、フィルタ層（２６）が該箔（２４）と内部空間内の抽出可能な製品の間に置かれるとき、出口開口のいずれもがフィルタ層（２６）によって被覆されない。図６において、フィルタ層（２６）は、可撓性箔（２４）の約半分を被覆している。出口開口は、フィルタ層（２６）によって被覆されない可撓性箔（２４）の別の半分上に備えられうる。これはまた、図７に示されたように、該箔層（２６）の実施例についても妥当である。フィルタ層（２６）は、フィルタ物質の細長い片から形成されうる。図８は、実質的に長方形の形状を有する開口を持つフィルタ層（２６）を示している。本発明に従うと、該箔（２４）内の出口開口は、フィルタ層（２６）が、該箔（２４）と内部空間内に容れられた抽出可能な製品の間に置かれるとき、いずれの出口開口もフィルタ層（２６）によって被覆されないように、フィルタ層（２６）の開口に対応している。別の実施例において、開口は、別の形状、例えば三角形の開口を有しうる。図４〜８に示されたようなフィルタ層（２６）は、例えば、紙の又は不織の物質でありうる。図９において、フィルタ層（２６）は、図５に描かれたフィルタ層（２６）のそれに類似の形状を有し、そして多数の小さな開口を有するガーゼ（金網）である。
【００７０】
図１０Ａ／Ｂ〜１５Ａ／Ｂにおいて、本発明に従うカプセル（２）の様々な実施態様が示されている。カプセル（２）の各々において、実質的にシート状のフィルタ層（２６）は、該箔（２４）内の出口開口（２５）のいずれをも被覆しない。このことは、各開口がフィルタ層（２６）によって完全には被覆されないことを意味している。
【００７１】
図１０Ａ／Ｂ〜１５Ａ／Ｂのカプセル（２）は、図１を参照して記載された装置（４）に類似の装置を用いて準備されえて、コーヒー飲料をもたらす。熱湯が、流体分配デバイス（５）からカプセル（２２Ｐ）の底（１６）に備えられた入口開口（１７）、恐らくスリットを通って、該カプセルへ、内部空間（２３）内の抽出可能な製品へ供給される。熱湯は、９２〜９８℃の平均温度で供給され、そして好ましくは、１４〜１６バールの平均圧力下でカプセルへ供給される。準備されたコーヒーは、カプセル（２）から蓋（２０）を通って排出されうる。コーヒー飲料はさらに、複数の流出口（３２）を介して収容器（６）から、例えば容器、例えばカップ内へ排出されうる。水のカプセル（２）の内部空間（２３）内の抽出可能な製品への供給の間、コーヒー粒子は、カプセル（２）の内部空間（２３）内に再分布させられる。比較的小さな粒子、即ち微粒子は、水と共に蓋（２０）の方へ移動させられる。
【００７２】
該カプセルによって調製された飲料の調製特性は、測定されうる。調製時間は秒で測られる。飲料のクレマ（crema）層は、ミリメートルで測られ、そして乾燥物の量（ＤＭＡ）は、ｇ／１００ｇで測られ、パーセントで表示される。
【００７３】
図１０Ａ〜１５Ａで、カプセル（２）が示されている。図１０Ｂ〜１５Ｂで、それぞれのカプセルの内部空間（２３）の境界を形成するところの該箔（２４）のその部分の表面領域は、図１０Ａ〜１５Ａに示された方向Ｂの視点でそれぞれ示されている。カプセル（２）の第２の、開いた端部（２２）は、直径Ｄを有し、これらの実施例では２９ｍｍに等しい。該箔（２４）の方向Ｂで見られ且つカプセルの第２の、開いた端部（２２）によって画定された表面領域は、該箔（２４）に沿って測られたカプセル（２）の第２の、開いた端部（２２）でのカプセル（２）の内部空間（２３）の直径に対応するところの直径Ｄを有している。図１０Ａ／Ｂ〜１５Ａ／Ｂで示された全てのカプセル（２）において、出口開口は３００μｍの直径を有している。さらに、図１０Ａ／Ｂ〜１５Ａ／Ｂのカプセル（２）の内部空間（２３）は、約１２ｍｌの容積を有している。
【００７４】
図１０Ａは、本発明に従うカプセル（２）を示している。該箔（２４）に隣接する領域において、フィルタ層（２６）が備えられる。フィルタ層（２６）は、内部空間（２３）内の抽出可能な製品と蓋（２０）（複数の出口開口（２５）を有する多層箔（２４）を備える）の間に置かれる。この実施例において、多層箔（２４）は、２２．５ｍｍに等しいＤ’の直径を有する円（５０）によって画定された領域内で或るパターンに分布した１４１個の出口開口（２５）を有している。該円（５０）は、第２の、開いた端部（２２）によって画定された該箔（２４）の表面領域と同心的である。
【００７５】
フィルタ層（２６）は、この実施例においてリング状であり、かつ１つの開口（１００）を備えている。外径Ｆは、２８．５ｍｍに等しく、そして内径Ｆ’は、２４ｍｍに等しい。外径が、第２の、開いた端部（２２）でのカプセル（２）の内径Ｄよりも僅かに小さいので、該フィルタ（２６）は、カプセル（２）内に、内部空間（２３）内の抽出可能な製品と箔（２４）の間に置かれうる。この場合、該フィルタの外径Ｆは、該箔（２４）に沿って測られた第２の、開いた端部（２２）でのカプセル（２）の内径Ｄよりも約２％小さい。フィルタ層（２６）は、２２ｇ／ｍ２の密度、２００Ｐａでの５１７ｍｍ／秒の空気透過性及び０．１ｍｍの厚さを有するろ紙から形成される。
【００７６】
該フィルタの内径Ｆ’は、２２．５ｍｍよりも大きいので、出口開口（２５）のいずれもがフィルタ層（２６）によって被覆されない。複数の出口開口（２５）は、内部空間（２３）内の抽出可能な製品と直接に向き合う。該フィルタ層（２６）の第１表面Ｐは、多層箔（２４）に対して、該フィルタ層（２６）と対立している少なくとも表面Ｓで当接し、そして該フィルタ層（２６）が適切な場所に維持さるように焙煎され挽かれたコーヒーと多層箔（２４）の間に押圧されうる。該フィルタ層（２６）の第１表面Ｐの反対側である、該フィルタ層（２６）の第２表面Ｐ’は、内部空間（２３）内に容れられた抽出可能な製品に直接に向き合う。
【００７７】
フィルタ層（２６）によって被覆されていない該箔（２４）の表面は、カプセル（２）の内部空間（２３）の境界を形成するところの該箔（２４）の総表面領域の７２％を備えている。フィルタ層（２６）によって被覆されておらず且つ出口開口（２５）を備えるところの該箔（２４）の表面積は、カプセル（２）の内部空間（２３）の境界を形成するところの該箔（２４）の総表面積の６０％である。この実施例において、フィルタ層（２６）によって被覆されていないところの且つ出口開口（２５）を備えるところの該箔（２４）の表面積は、ｆ＊７２％である。ここで、ｆは０．８３である。
【００７８】
この実施例において、フィルタ層（２６）のリング形状の外側周囲境界であるところの該フィルタ層（２６）の全外側境界（１２６）は、該カプセル（２）の周囲壁（１４）へ延在している。したがって、該フィルタ層（２６）によって被覆されているところの該箔（２４）の該表面領域の第１部分（１０１）は、周囲壁（１４）に少なくとも実質的に完全に隣接して置かれている。カプセル（２）の内部空間（２３）の境界を形成するところの該箔（２４）の表面領域に沿って測られた周囲壁への隣接とは、該第２の、開いた端部（２２）での該カプセル（２）の内部空間（２３）の境界を形成するところの該箔（２４）の表面領域の直径の３％よりも小さな距離で存在することであると理解されることは評価されよう。リング形状フィルタ層（２６）の外側直径Ｆが２８．５ｍｍであるので、フィルタ層（２６）の外側境界（１２６）は、該直径Ｄの３％以内である。さらに、該箔（２４）の第１部分（１０１）の外側境界（１２１）の１００％は、周囲壁（１４）に隣接して存在する。該箔の第１部分（１０１）の外側境界（１２１）は、フィルタ層（２６）の外側境界（１２６）と一致している。したがって、フィルタ層（２６）は、該箔（２４）に隣接する周囲壁（１４）の各位置へ延在している。
【００７９】
フィルタ層（２６）の内径Ｆ’は、２４ｍｍであり、そして出口開口（２５）の直径は、近似的に３００μｍであり、フィルタ層（２６）の開口（１００）は、最大の表面積を有する出口開口（２５）の表面領域よりも大きな表面積を有している。さらに、リング形状フィルタ層（２６）の中央開口（１００）は、最大の直径Ｆ’、この実施例では２４ｍｍ、を有し、それはＤの近似的に８３％である。ここで、Ｄは、第２の、開いた端部（２２）でのカプセル（２）の内径である。
【００８０】
複数の出口開口（２５）が分布させられているところの該箔（２４）の表面領域の第２部分（１０２）は、周囲壁から少なくとも実質的に完全に或る距離を置かれている。この実施例において、１４１の出口開口（２５）は、２２．５ｍｍに等しい直径Ｄ’を有する円（５０）によって画定された領域内に分布されている。円（５０）が、第２の、開いた端部（２２）によって画定された該箔（２４）の表面領域と同心的であるので、出口開口は、少なくともＤ／２−Ｄ’／２、または該箔（２４）の表面領域に沿って測られた、周囲壁（１４）から３．２５ｍｍである。
【００８１】
さらに、フィルタ層（２６）によって被覆されていないところの該箔（２４）の表面領域の第３部分（１０３）は、周囲壁から少なくとも実質的に完全に或る距離を置かれている。この実施例において、該箔（２４）の表面領域の第３部分（１０３）の外側周囲境界（１２３）の１００％が、周囲壁からの或る距離で存在している。ここで、該第３部分は島である。さらに、フィルタ層（２６）は、フィルタ層（２６）の中心は、第２の、開いた端部（２２）で内部空間（２３）の境界を形成するところの該箔（２４）の部分の中心と対応するように、実質的に該箔（２４）の中心である。
【００８２】
カプセル（２）が調製されるとき、カプセル内のコーヒー粒子は、カプセル内への流体の供給の間、該箔（２４）の方へ動きうる。抽出可能な製品、即ち焙煎され挽かれたコーヒーと該箔（２４）の間のフィルタ層（２６）は、コーヒー内の微粒子の幾らかを捕捉する。このような仕方で、流れの制限が依然として形成されている間、少なくとも全てではない微粒子が出口開口（２５）に達するであろう。さらに、周囲壁（１４）に沿って形成された好ましい流れは、フィルタ層（２６）を通る流れ抵抗が、モデル化によって近似的に評価され、それが、コンパクト化された焙煎され挽かれたコーヒー製品を通る流れ抵抗よりも２０倍小さいので、該箔（２４）の第１部分（１０１）を被覆するフィルタ層（２６）へ入りうることが信じられている。好ましい流れは、内向き半径方向に該箔（２４）の表面領域の第３部分（１０３）の方へ流れ続け、そして該箔（２４）の表面領域の第２部分（１０２）に設けられた出口開口（２５）を通してカプセル（２）を出うる。
【００８３】
この実施例において、カプセル（２）の内部空間（２３）は、５．８ｇの、焙煎され挽かれたProfondoコーヒーで充填される。コーヒーは、７０５〜７１０ｍｌ／２５０ｇの注入体積、Ｘ５０で２６２．２１μｍの粒子密度、およびＸ１０で４０．３４μｍの粒子密度を有している。微粒子の百分率、即ち１００μｍよりも小さな粒子、は２０．２２％である。上の特特性を有するコーヒーで充填されたカプセルで、ルンゴ（lungo）コーヒーのための調製時間は、６６〜７３秒であった。クレマ層は５．８ｍｍ〜６．５ｍｍであった。ＤＭＡは１．４４％と１．４６％の間であった。
【００８４】
図１１Ａ／Ｂにおいて、図１０Ａ／Ｂのカプセル（２）に類似の本発明に従うカプセル（２）が示されている。図１１Ａ／Ｂのカプセル（２）は、図１０Ａ／Ｂのカプセル（２）とは、図１１Ａ／Ｂのカプセル（２）のフィルタ層（２６）は、３つの副層２６．１〜２６．３を備える点において異なる。各副層（２６．ｉ）は、シート形状で、そしてまた、この実施例において、各副層（２６．ｉ）は、リング形状である。該リングは、２４ｍｍ内径Ｆ’を有し、そして外径は、２８．５ｍｍに等しく、それは、該箔（２４）の内部表面に沿って測られたカプセルの内部空間（２３）の直径Ｄよりも近似的に２％小さい。さらに各副層（２６．ｉ）は、２２ｇ／ｍ２の密度、および２００Ｐａで５１７ｍｍ／秒の空気透過性、および０．１ｍｍの厚さを有するろ紙から形成されている。
【００８５】
積層されたフィルタ層（２６．ｉ）を通して、結果として得られる図１１Ａ／Ｂのカプセル（２）のフィルタ層（２６）は、通過するための好ましい通路のために３倍を超える体積を備えている。この実施例において、結果として得られるフィルタ層（２６）は、カプセル（２）の内部空間（２３）の容積の近似的に０．６％を満たす。副層（２６．ｉ）を備えるフィルタ層（２６）を用いるカプセル（２）はまた、調製時間の確実な短縮、比較的高いＤＭＡ百分率、および受容可能なクレマ層を示した。
【００８６】
本発明に従うカプセル（２）内のフィルタ層（２６）は、不織物質から形成されていることも考えられる。例えば、２４ｍｍの内径Ｆ’を有するリング形状の３００μｍの厚さの不織網目フィルタ層（２６）は、カプセル（２）の内部空間（２３）の容積の近似的に４．６％を充填している。この実施例において、内部空間（２３）の容積は、１２ｍｌである。該フィルタ層（２３）によって充填されるところのカプセルの内部空間の或る容積を準備しておくことにより、使用中、そこに好ましい流れが確立され得、及び／又はそれを通って好ましい流れが流れうるところのカプセルの或る容積が与えられる。好ましくは、本実施例のように、フィルタ層（２６）の流れ抵抗は、４〜２０バールの、好ましくは９〜１８バールの圧力下の流体で抽出されるとき、内部空間（２３）内の抽出可能な製品の流れ抵抗よりも１０〜３０倍も小さい。
【００８７】
図１２Ａは、本発明に従うカプセル（２）を示している。該箔（２４）に隣接した領域に、フィルタ層（２６）が設けられる。該フィルタ層（２６）は。内部空間（２３）内の抽出可能な製品と複数の出口開口（２５）を有する多層箔（２４）を備える蓋（２０）の間に置かれる。この実施例において、多層箔（２４）は、２２．５ｍｍのＤ’の直径を有する円（５０）によって画定された領域内で或るパターンに分布した１４１個の出口開口（２５）を有している。該円（５０）は、第２の、開いた端部（２２）によって画定された該箔（２４）の表面領域と同心的である。
【００８８】
フィルタ層（２６）は、この実施例において、ＤＥブランドとして成形されるところの１つの開口（１００）を備えている。外径Ｆは、第２の、開いた端部（２２）でのカプセル（２）の内径であるところのＤに等しい。該フィルタ（２６）は、カプセル（２）内に、内部空間（２３）内の抽出可能な製品と該箔（２４）の間に置かれる。該フィルタ層は、２２ｇ／ｍ２の密度、および２００Ｐａで５１７ｍｍ／秒の空気透過性、および０．１ｍｍの厚さを有するろ紙から形成されている。
【００８９】
この実施例において、フィルタの最小内径Ｆ’は、２３ｍｍであり、したがって出口開口（２５）が分布されている２２．５ｍｍの円よりも大きい。したがって、出口開口（２５）のどれもがフィルタ層（２６）によって被覆されない。複数の出口開口（２５）は、内部空間（２３）内に収容された抽出可能な製品に直接に向き合う。
【００９０】
フィルタ層（２６）によって被覆されていない該箔（２４）の表面は、カプセル（２）の内部空間（２３）の境界を形成するところの該箔（２４）の総表面積の少なくとも６３％を備えている。フィルタ層（２６）によって被覆されておらず且つ出口開口（２５）を備えるところの該箔（２４）の表面積は、カプセル（２）の内部空間（２３）の境界を形成するところの該箔（２４）の総表面積の６０％である。この実施例において、フィルタ層によって被覆されていないところの且つ出口開口を備えるところの該箔の表面積は、ｆ＊６３％である。ここで、ｆは０．９５である。
【００９１】
この実施例において、フィルタ層（２６）の全外側境界（１２６）は、カプセル（２）のっ周囲壁（１４）へ延在している。したがって、フィルタ層（２６）によって被覆されていないところの該箔（２４）の表面領域の第１部分（１０１）は、少なくとも実質的に完全に周囲壁（１４）に隣接して置かれている。さらに、該箔（２４）の第１部分（１０１）の外側境界（１２１）の１００％は、周囲壁（１４）に隣接して存在する。該箔の第１部分（１０１）の外側境界（１２１）は、フィルタ層（２６）の外側境界（１２６）と一致している。したがって、フィルタ層（２６）は、該箔（２４）に隣接する周囲壁（１４）の各位置まで延在している。
【００９２】
該内径Ｆ’は、２３ｍｍであり、ひいてはフィルタ層（２６）の開口（１００）の領域は、最大の表面積を有する出口開口（２５）の表面領域よりも大きな表面積を有している。
【００９３】
該箔（２４）の表面領域の第２部分（１０２）（そこに複数の出口開口（２５）が分布されている）は、出口開口（２５）が、第２の、開いた端部（２２）によって画定された該箔（２４）の表面領域と同心の、且つ２２．５ｍｍに等しいＤ’の直径を有する円（５０）によって画定された領域内に分布されているので、周囲壁から少なくとも実質的に完全に或る距離を置かれている。
【００９４】
さらに、フィルタ層（２６）によって被覆されていないところの該箔（２４）の表面領域の第３部分（１０３）は、周囲壁からの少なくとも実質的に完全に或る距離で存在している。この実施例において、該箔（２４）の表面領域の第３部分（１０３）の外側周囲境界（１２３）の１００％が、周囲壁からの或る距離で存在している。第３部分（１０３）の該外側境界（１２３）は、ＤＥブランドとして成形される。
【００９５】
図１１Ａ／Ｂのカプセル（２）のフィルタ層（２６）に対する、図１２Ａ／Ｂのカプセル（２）のフィルタ層（２６）の類似性により、類似の調製特性が達成された。フィルタ層（２６）は、抽出可能な製品の性質が変化することを許容することは注目される。したがって、適切なフィルタを準備することは、付加的な焙煎され挽かれたコーヒーが調製されることを可能にしうる。
【００９６】
本発明に従うカプセル（２）が図１３Ａに示されている。該箔（２４）に隣接する領域において、フィルタ層（２６）が備えられる。フィルタ層（２６）は、内部空間（２３）内の抽出可能な製品と蓋（２０）の間に配置されている。フィルタ層（２６）は、この実施例において、１のストリップ（細長い一片）である。フィルタ層（２６）の幅Ｆ’は、６ｍｍであり、そして該フィルタ層ストリップ（２６）の長さＦは、２８．５ｍｍである。該フィルタ層は、２２ｇ／ｍ２の密度、２００Ｐａでの５１７ｍｍ／秒の空気透過性及び０．１ｍｍの厚さを有するろ紙から形成される。該ストリップ状フィルタ層（２６）は、２つの対向する端部（１３０、１３１）を備え、周囲壁に隣接して存在し、そして２つの対向する側部（１３２、１３３）の各々は、周囲壁から或る距離に在る。
【００９７】
この実施例において、多層箔（２４）は、円（５０）によって画定された領域内に或るパターンで分布された１００の出口開口（２５）を有し、そしてストリップ状フィルタ層（２６）によって被覆された該箔（２４）の表面領域を除外している。このような仕方で、出口開口（２５）のどれもが該フィルタ層（２６）によって被覆されない。該円（５０）の直径は、Ｄ’であり、それは２２．５ｍｍに等しい。該円（５０）は、第２の、開いた端部（２２）によって画定された該箔（２４）の表面領域と同心的である。
【００９８】
複数の出口開口（２５）は、内部空間（２３）内の抽出可能な製品と直接に向き合う。該フィルタ層（２６）の第１表面Ｐは、多層箔（２４）に対して、フィルタ層（２６）と対立している少なくとも表面Ｓで当接し、そして該フィルタ層（２６）が適切な位置に維持さるように焙煎され挽かれたコーヒーと多層箔（２４）の間に押圧されうる。該フィルタ層（２６）の第１表面Ｐの反対である、該フィルタ層（２６）の第２表面Ｐ’は、内部空間（２３）内に容れられた抽出可能な製品に直接に向き合う。
【００９９】
フィルタ層（２６）によって被覆されていない該箔（２４）の表面は、カプセル（２）の内部空間（２３）の境界を形成するところの該箔（２４）の総表面領域の近似的に７４％を備えている。フィルタ層（２６）によって被覆されておらず且つ出口開口（２５）を備えるところの該箔（２４）の表面積は、カプセル（２）の内部空間（２３）の境界を形成するところの該箔（２４）の総表面積の近似的に４５％である。この実施例において、フィルタ層によって被覆されていないところの且つ出口開口を備えるところの該箔の表面積は、ｆ＊７４％である。ここで、ｆは近似的に０．６１である。
【０１００】
この実施例において、ストリップ状フィルタの２つの対向する端部（１３０、１３１）は、カプセル（２）の周囲壁（１４）に隣接して置かれている。したがって、フィルタ層（２６）の外側境界（１２６）は、カプセル（２）の周囲壁（１４）へ延在している。該フィルタ層（２６）によって被覆されるところの該箔（２４）の表面領域の第１部分（１０１）は、少なくとも実質的に完全に周囲壁（１４）に隣接して置かれている。この実施例において、該フィルタ層の外側境界（１２６）の１７％は、周囲壁（１４）に隣接して置かれている。
【０１０１】
複数の出口開口（２５）が分布されている該箔（２４）の表面領域の第２部分（１０２）は、２つの別々の部分（１０２Ａ、１０２Ｂ）を備えている。２つの第２部分（１０２Ａ／Ｂ）の両方は、周囲壁から少なくとも実質的に完全に或る距離を置かれている。
【０１０２】
調製の間、カプセル内部のコーヒー粒子は、カプセル内への流体の供給の間、該箔の方へ移動しうる。抽出可能な製品、即ち焙煎され挽かれたコーヒーと該箔（２４）の間のフィルタ層（２６）は、コーヒー内の微粒子の幾らかを捕捉する。結果として、少なくとも全てではない微粒子が出口開口（２５）に達するであろう。さらに、周囲壁（１４）に沿って形成された好ましい流れは、周囲壁（１４）に隣接する該箔（２４）の第１部分（１０１）を被覆するフィルタ層（２６）へ入りうることが信じられる。なぜなら、フィルタ層（２６）を通る流れ抵抗が、モデル化によって近似的に評価され、それが、コンパクト化された焙煎され挽かれたコーヒー製品を通る流れ抵抗よりも２０倍小さいからである。好ましい流れは、内向き半径方向に該箔（２４）の表面領域の第３部分（１０３）の方へ流れ続け、そして結局、該箔（２４）の表面領域の第２部分（１０２）に設けられた出口開口（２５）を通してカプセル（２）を出うる。
【０１０３】
カプセル（２）の内部空間（２３）は、５．８ｇの、焙煎され挽かれたProfondoコーヒーで充填される。コーヒーは、７０５〜７１０ｍｌ／２５０ｇの注入体積、Ｘ５０で２６２．２１μｍの粒子密度、およびＸ１０で４０．３４μｍの粒子密度を有している。微粒子の百分率、即ち１００μｍよりも小さな粒子、は２０．２２％である。上の特性を有するコーヒーで充填されたカプセルで、ルンゴ（lungo）コーヒーのための調製時間は、７３秒を超え９０秒未満であった。クレマ層は５．８ｍｍを超え、そしてＤＭＡは１．４４％を超えた。
【０１０４】
本発明に従う別のカプセル（２）が、図１４Ａに示されている。該箔（２４）に隣接した該領域において、フィルタ層（２６）が備えられる。該フィルタ層（２６）は、内部空間（２３）内の抽出可能な製品と該蓋（２０）の間に配置され、該蓋（２０）は、複数の出口開口（２５）を有する多層箔（２４）を備えている。該フィルタ層（２６）は、この実施例において、リングおよびストリップを備えている。該フィルタ層（２６）の該ストリップ部分の幅Ｆ”は、６ｍｍであり、該リングは２４ｍｍに等しい内径Ｆ”を有している。
【０１０５】
該フィルタ層は、２２ｇ／ｍ２の密度、および２００Ｐａで５１７ｍｍ／秒の空気透過性、および０．１ｍｍの厚さを有するろ紙から形成されている。
【０１０６】
この実施例において、該多層箔（２４）は、円（５０）によって画定され、且つ該フィルタ層（２６）のストリップ状部分によって被覆された該箔（２４）の該表面領域を除外する領域内に、或るパターンで分布された１００の出口開口（２５）を有している。該円（５０）の直径はＤ’であり、２２．５ｍｍに等しく、そして該円（５０）は、第２の、開いた端部（２２）によって画定された該箔（２４）の表面領域と同心的である。
【０１０７】
複数の出口開口（２５）は、内部空間（２３）内の抽出可能な製品と直接に向き合う。該フィルタ層（２６）の第１表面Ｐは、多層箔（２４）に対して、該フィルタ層（２６）に対立している少なくとも表面Ｓで当接し、そして該フィルタ層（２６）が適切な場所に維持さるように焙煎され挽かれたコーヒーと多層箔（２４）の間に押圧されうる。該フィルタ層（２６）の第１表面Ｐの反対側である、該フィルタ層（２６）の第２表面Ｐ’は、内部空間（２３）内に容れられた抽出可能な製品に直接に向き合う。
【０１０８】
フィルタ層（２６）によって被覆されていない該箔（２４）の表面は、カプセル（２）の内部空間（２３）の境界を形成するところの該箔（２４）の総表面領域の近似的に５２％を備えている。フィルタ層（２６）によって被覆されておらず且つ出口開口（２５）を備えるところの該箔（２４）の表面積は、カプセル（２）の内部空間（２３）の境界を形成するところの該箔（２４）の総表面積の４５％である。この実施例において、フィルタ層によって被覆されていないところの且つ出口開口を備えるところの該箔の表面積は、ｆ＊５２％である。ここで、ｆは近似的に０．８７である。
【０１０９】
この実施例において、フィルタ層（２６）の全外側境界（１２６）は、カプセル（２）のっ周囲壁（１４）へ延在している。さらに、該外側境界（１２６）は、外側周囲境界である。フィルタ層（２６）によって被覆されているところの該箔（２４）の表面領域の第１部分（１０１）は、周囲壁（１４）に少なくとも実質的に完全に隣接して置かれている。さらに、該箔（２４）の第１部分（１０１）の外側境界（１２１）の１００％は、周囲壁（１４）に隣接して存在する。該箔の第１部分（１０１）の外側境界（１２１）は、フィルタ層（２６）の外側境界（１２６）と一致している。したがって、フィルタ層（２６）は、該箔（２４）に隣接する周囲壁（１４）の各位置へ延在している。
【０１１０】
この実施例において、フィルタ層（２６）は、複数の開口（１００Ａおよび１００Ｂ）を備えている。したがって、複数の出口開口（２５）が分布されている該箔（２４）の表面領域の第２部分は、２つの別々の部分（１０２Ａ、１０２Ｂ）を備えている。２つの第２部分（１０２Ａ／Ｂ）の両方は、周囲壁から少なくとも実質的に完全に或る距離を置かれている。各開口（１００Ａ／Ｂ）は、最大表面積を有する出口開口の表面積よりも大きい表面積を有している。
【０１１１】
さらに、フィルタ層（２６）によって被覆されていないところの該箔（２４）の表面領域の第３部分は、２つの別々の第３部分（１０３Ａ及び１０３Ｂ）を備えている。該第３部分（１０３Ａ／Ｂ）は、周囲壁（１４）から少なくとも実質的に完全に或る距離を置かれている。この実施例において、該箔（２４）の表面領域の第３部分（１０３Ａ／Ｂ）の両外側周囲境界（１２３Ａ／Ｂ）の１００％は、周囲壁（１４）から或る距離に置かれている。ここで、該第３部分は、２つの島によって形成されている。さらに、該フィルタは、フィルタ層（２６）の中心が、内部空間（２３）の境界を第２の、開いた端部（２２）で形成するところの該箔（２４）の部分の中心と一致するように、該箔（２４）の実質的に中心にある。
【０１１２】
調製されるとき、カプセル内のコーヒー粒子は、カプセル内への流体の供給の間、該箔（２４）の方へ動きうる。抽出可能な製品、即ち焙煎され挽かれたコーヒーと該箔（２４）の間のフィルタ層（２６）は、コーヒー内の微粒子の幾らかを捕捉する。その結果、少なくとも全てではない微粒子が出口開口（２５）に達するであろう。この実施例において、該第１部分（１０１）の外側境界（１２１）の１００％は、該箔（２４）および内部空間（２３）によって形成された境界で周囲壁（１４）に隣接して存在する。したがって、周囲壁（１４）に沿って形成された好ましい流れは、周囲壁（１４）に隣接する該箔（２４）の第１部分（１０１）を被覆するフィルタ層（２６）へ入りうることが信じられる。なぜなら、フィルタ層（２６）を通る流れ抵抗が、モデル化によって好ましくは評価され、それが、コンパクト化された焙煎され挽かれたコーヒー製品を通る流れ抵抗よりも２０倍小さいからである。好ましい流れは、内向きに半径方向に流れ続け、そして該箔（２４）の表面領域の第２部分（１０２）に設けられた出口開口（２５）を通してカプセル（２）を出うる。
【０１１３】
本発明に従う別のカプセル（２）が、図１５Ａに示されている。該箔（２４）に隣接する領域に、フィルタ層（２６）は備えられている。該フィルタ層（２６）は、ディスクの形状を有している。ディスク状フィルタ層（２６）は、この実施例においては１８ｍｍに等しい直径Ｆを有している。該フィルタ層は、２２ｇ／ｍ２の密度、および２００Ｐａで５１７ｍｍ／秒の空気透過性、および０．１ｍｍの厚さを有するろ紙から形成されている。
【０１１４】
この実施例において、多層箔（２４）は、直径Ｄ’（この実施態様においては、Ｆに等しく、それは１８ｍｍに等しい）を有する円の外側で該箔（２４）上に分布された９０の出口開口（２５）を有している。
【０１１５】
複数の出口開口（２５）は、内部空間（２３）内の抽出可能な製品と直接に向き合う。該フィルタ層（２６）の第１表面Ｐは、多層箔（２４）に対して、該フィルタ層（２６に対立している少なくとも表面Ｓで当接し、そしてフィルタ層（２６）が適切な場所に維持さるように焙煎され挽かれたコーヒーと多層箔（２４）の間に押圧されうる。該フィルタ層（２６）の第１表面Ｐの反対側である、該フィルタ層（２６）の第２表面Ｐ’は、内部空間（２３）内に容れられた抽出可能な製品に直接に向き合う。
【０１１６】
フィルタ層（２６）によって被覆されていない該箔（２４）の表面は、カプセル（２）の内部空間（２３）の境界を形成するところの該箔（２４）の総表面積の近似的に６１％を備えている。フィルタ層（２６）によって被覆されておらず且つ出口開口（２５）を備えるところの該箔（２４）の表面積はまた、カプセル（２）の内部空間（２３）の境界を形成するところの該箔（２４）の総表面積の６１％である。この実施例において、フィルタ層によって被覆されていないところの且つ出口開口を備えるところの該箔の表面積は、ｆ＊６１％である。ここで、ｆは近似的に１である。
【０１１７】
この実施例において、フィルタ層（２６）は、周囲壁（１４）までは延在しない。ディスク状フィルタ層（２６）は１の島を形成する。
【０１１８】
調製の間、フィルタ層（２６）は。コーヒーの微粒子を捕捉する。微粒子は、該箔（２４）内の出口開口（２５）に到達する前に、フィルタ層（２６）内に拡散するであろう。このようにして、流れ制限は依然として形成されたままであるが、少なくとも全てではない微粒子が出口開口（２５）に到達する。さらに、フィルタ層（２６）の存在は、フィルタ層を通る流れ抵抗が、コンパクト化された抽出可能な製品を通る流れ抵抗よりも小さいので、好ましい流れがフィルタ層（２６）を通して形成されることを可能にする。
【０１１９】
カプセル（２）の内部空間（２３）は、５．８ｇの焙煎され挽かれたRistretoコーヒーを充填された。該コーヒーは６８４ｍｌ／２５０ｇの注入体積、Ｘ５０で４００μｍの粒子密度を有している。微粒子の百分率、即ち１００μｍよりも小さな粒子、は１３．８％である。
【０１２０】
該カプセルが、上記の性質を有するコーヒーを充填されたとき、コーヒーの調製時間は、１５〜３６秒であった。クレマ層は２ｍｍと５．３５ｍｍの間であった。ＤＭＡは、３．１４％と３．４９％の間であった。
【０１２１】
フィルタ層（２６）がリングを形成するとき、フィルタ層は周囲壁まで延在しないこともありうる。好ましくは、周囲壁に隣接し且つ該リングによって被覆されていないところの該箔の面積は、内部空間の境界を形成するところの該箔の総面積のｘ％であり、ｘはＸ１〜Ｘ２の範囲内、好ましくはＸ３〜Ｘ４の範囲内にある。さらに、リングの中央開口は、該箔での内部空間の最大直径の１５％〜６０％の範囲内にある最大直径を有しうる。
【０１２２】
検討されたフィルタ層（２６）の流れ抵抗は、抽出可能な製品の流れ抵抗よりもＦ倍小さいものでありえる。ここでＦは、Ｆ１〜Ｆ２の範囲内、好ましくはＦ２〜Ｆ３の範囲内、より好ましくはＦ４〜Ｆ５の範囲内にある。
【０１２３】
フィルタ層（２６）の流れ抵抗は、９〜１８バールの圧力下での流体で抽出されるとき、抽出可能な製品の流れ抵抗よりもＧ倍小さいものでありえる。ここで、Ｇは１０〜３０の範囲内、好ましくは１５〜２５の範囲内、より好ましくは１８〜２２の範囲内にある。
【０１２４】
議論されたフィルタ層（２６）の流れ抵抗は、例えばＴによって特徴付けられうる。ここで、Schroder Pruftechniksからのヘルツベルク（Herzberg）デザインのろ紙試験装置を用いるとき、Ｔは、１００ｍｌの水が、３３ｃｍの出発の水柱で始めて、該フィルタ層のサンプルの１０ｃｍ２の面積を通して、該サンプルが置かれるところの平面に垂直な方向に流れる、秒での時間である。ここで、水温は２０℃であり、Ｔは４〜１５０の範囲内、好ましくは４〜３０、より好ましくは５〜２０、例えばろ紙について４〜１５の範囲内、例えば白不織布について６０〜１５０、および例えば青不織布について４５〜８０にある。本発明に従うカプセルにおいて示されたようなフィルタ層は、複数の別々のフィルタ層によって具体化されうることは明らかであろう。別々のフィルタ層は、該箔に対して固定されえ、及び／又は該箔およびカプセルの内部空間内の抽出可能な製品によって適切な場所に保持されうる。該別々のフィルタ層の配置は、１のフィルタ層として考えられうる。
【０１２５】
さらに、図面は図式的であると理解されよう。出口開口の描画は全く図式的である。出口開口の様々なサイズ、様々な分布パターン、例えば六角形パターン、および密度は、全てこの発明の範囲に属すると考えられる。
【０１２６】
また、調製の特性、例えば調製時間、クレマ層、およびＤＭＡは、カプセル（２）の内部空間（２３）内に収容された抽出可能な製品、並びに得られた飲料の体積にまた依存することが注目される。
【０１２７】
上述の明細書において、本発明は、本発明の実施態様の具体的な実施例について言及しつつ記載された。しかしながら、添付された請求項に記載されているように本発明の幅広い主旨と範囲から離れることなく、そこに様々な修正や変形が為されうることは明白であろう。
【０１２８】
例えば、カプセルは、保存期間を改善するために使用前に気密ラッピング内に容れられることは可能である。
【０１２９】
例えば、カプセル（２）は様々な寸法または様々な形状を有することは可能である。本実施例において、周囲第第１壁（１４）は、実質的に円筒形である。本発明に従うカプセルはこの形状に限定されるものではないことが理解されよう。周囲第１壁（１４）は、例えば、切頭円錐状、半球状、または多角形状、例えば六角形状、八角形状などでありうる。
【０１３０】
しかし、別の修正、変形および代替はまた可能である。本明細書、図面および実施例は、従って、限定的な意味というよりはむしろ説明的と見なされるべきものである。
【０１３１】
請求項において、括弧内に置かれたどのような参照符号も請求項を限定するものとして、解釈されるべきではない。用語「を備える」は、別の特徴または工程の存在、ひいてはある請求項に列挙されたそれらを排除しない。さらに、用語「１の」は「唯一の」に限定されるように解釈されてはならず、むしろ「少なくとも１つ」を意味するように使われ、且つ複数を排除しない。複数のある手段が、相互に異なる請求項において再掲されるという単なる事実は、これらの手段の組合せが有利に用いられえないということを示すものではない。
【０１３２】
明瞭および簡潔な記載の目的のために、特徴は、同一または別の実施態様の部分としてここでは記載されているが、本発明の範囲は、記載された特徴の全て又は幾つかの組合せを有する実施態様を包含しうることが理解されよう。
【符号の説明】
【０１３３】
１                システム
２                カプセル
４                装置
５                流体分配デバイス
６                収容器
１２                底刺通手段
１４                周囲壁
１５                リム
１６                底
１８                第１端部
１９、１９’、１９”            入口フィルタ（
２０、２０’、２０”、２０”’  蓋
２２                第２の、開いた端部
２３                内部空間
２４                可撓性の箔
２５                出口開口
２６                フィルタ層
３０                蓋刺通手段
【図１】
2016509869.tif 000003
【図２】
2016509869.tif 000004
【図３】
2016509869.tif 000005
【図４】
2016509869.tif 000006
【図５】
2016509869.tif 000007
【図６】
2016509869.tif 000008
【図７】
2016509869.tif 000009
【図８】
2016509869.tif 000010
【図９】
2016509869.tif 000011
【図１０Ａ】
2016509869.tif 000012
【図１０Ｂ】
2016509869.tif 000013
【図１１Ａ】
2016509869.tif 000014
【図１１Ｂ】
2016509869.tif 000015
【図１２Ａ】
2016509869.tif 000016
【図１２Ｂ】
2016509869.tif 000017
【図１３Ａ】
2016509869.tif 000018
【図１３Ｂ】
2016509869.tif 000019
【図１４Ａ】
2016509869.tif 000020
【図１４Ｂ】
2016509869.tif 000021
【図１５Ａ】
2016509869.tif 000022
【図１５Ｂ】
2016509869.tif 000023
【国際調査報告】
2016509869.tif 000024
2016509869.tif 000025
2016509869.tif 000026